(57)【要約】  本発明のデータ記録装置（１０１）は、複数回のダビングが許可される著作権保護方式に対応したＡＶデータを記録し保持するデータ記録手段（１３）と、蓄積メディアおよびデータ記録手段（１３）間、若しくは、異なる蓄積メディア間でＡＶデータのダビングまたは移動を実行するメディア記録手段（１７）と、ＡＶデータに対して前記著作権保護方式に準拠して付与されたダビング可能回数を含むダビングの管理を行うダビング管理情報管理手段（１４）と、メディア記録手段（１７）の実行対象である蓄積メディアのメディア種別に基づき、蓄積メディアが書き換え可能または不可であるかを判定するメディア判定手段（１８）とを備え、ダビング管理情報管理手段（１４）は、メディア記録手段（１７）がデータ記録手段（１３）から当該蓄積メディアにＡＶデータの移動を実行する際、判定結果に応じて異なる更新をＡＶデータに対応するダビング管理情報管理手段（１４）に対して行う。
2010001566.tif 000002
【特許請求の範囲】
【請求項１】
複数回のダビングが許可される著作権保護方式に対応したＡＶ（Ａｕｄｉｏ  ａｎｄ  Ｖｉｓｕａｌ）データを記録して保持する記録保持手段と、
可搬で、かつ、ＡＶデータが蓄積可能な容量を有する少なくとも１つの蓄積メディアと前記記録保持手段との間若しくは前記蓄積メディアと、当該蓄積メディアと異なる蓄積メディアとの間でＡＶデータのダビングまたは移動を実行するメディア記録手段と、
前記ＡＶデータに対して前記著作権保護方式に準拠して付与されたダビング可能回数を含むダビング管理情報の管理を行うダビング管理手段と、
前記メディア記録手段が当該ＡＶデータのダビングまたは移動を実行する対象である蓄積メディアのメディア種別に基づいて、当該蓄積メディアが書き換え可能であるかまたは書き換え不可であるかの判定を行うメディア判定手段とを備え、
前記ダビング管理手段は、前記メディア記録手段が前記記録保持手段から当該蓄積メディアに対して前記ＡＶデータの移動を実行する際、前記判定結果に応じて異なる更新を前記ＡＶデータに対応する前記ダビング管理情報に行う
データ記録装置。
【請求項２】
前記ダビング管理手段は、
前記メディア記録手段により前記蓄積メディアのメディア種別に基づいて前記蓄積メディアが書き換え不可であるという判定が行われた場合、前記メディア記録手段による当該移動の実行とともに、前記ＡＶデータに対応する前記ダビング可能回数の値を減算することにより前記判定結果に応じて異なる更新を前記ダビング管理情報に行う
請求項１記載のデータ記録装置。
【請求項３】
前記ダビング管理手段は、前記判定結果に基づいて前記ダビング可能回数の値を１減算する
請求項２記載のデータ記録装置。
【請求項４】
前記ダビング管理手段は、
前記メディア記録手段により前記蓄積メディアのメディア種別に基づいて前記蓄積メディアが書き換え可能であるという判定が行われた場合、前記メディア記録手段による当該移動の実行とともに、前記ＡＶデータに対応する前記ダビング可能回数の値を維持することにより前記判定結果に応じて異なる更新を前記ダビング管理情報に行う
請求項１〜３のいずれか１項に記載のデータ記録装置。
【請求項５】
前記データ記録装置は、さらに、ネットワークにより互いに接続された他のデータ記録装置との間で、前記ネットワークを介して前記記録保持手段に記録されているＡＶデータを送受信するデータ送受信手段を備え、
前記ネットワークを介して、前記記録保持手段または前記蓄積メディアと前記他のデータ記録装置が備える記録保持手段との間で、前記ＡＶデータのダビングまたは移動を実行する
請求項１〜４のいずれか１項に記載のデータ記録装置。
【請求項６】
前記データ記録装置において、前記メディア記録手段により当該移動の実行が実行されて前記ＡＶデータが蓄積された前記蓄積メディアから当該蓄積メディアと異なる第１の蓄積メディアへの移動を実行する場合、
前記メディア判定手段は、当該第１の蓄積メディアのメディア種別に基づいて、当該第１の蓄積メディアが書き換え可能であるかまたは書き換え不可であるかを判定し、
前記メディア記録手段は、前記蓄積メディアから前記記録保持手段に当該ＡＶデータの移動を実行して当該ＡＶデータを前記記録保持手段に保持させ、当該第１の蓄積メディアに対して前記ＡＶデータの移動を前記記録保持手段から実行するとともに、
前記ダビング管理手段は、前記メディア記録手段により前記蓄積メディアのメディア種別に基づいて前記蓄積メディアが書き換え不可であるという判定が行われた場合、前記ＡＶデータに対応する前記ダビング可能回数の値を減算することにより前記判定結果に応じて異なる更新を前記ダビング管理情報に行う
請求項４に記載のデータ記録装置。
【請求項７】
データ記録装置のデータ記録方法であって、
複数回のダビングが許可される著作権保護方式に対応したＡＶデータを前記データ記録装置が備える記録媒体に記録して保持する記録保持ステップと、
可搬で、かつ、ＡＶデータが蓄積可能な容量を有する少なくとも１つの蓄積メディアと前記記録媒体との間若しくは前記蓄積メディアと、当該蓄積メディアと異なる蓄積メディアとの間でＡＶデータのダビングまたは移動を実行するメディア記録ステップと、
前記ＡＶデータに対して前記著作権保護方式に準拠して付与されたダビング可能回数を含むダビング管理情報の管理を行うダビング管理ステップと、
前記メディア記録ステップにおいて当該ＡＶデータのダビングまたは移動を実行する対象である蓄積メディアのメディア種別に基づいて、当該蓄積メディアが書き換え可能であるかまたは書き換え不可であるかの判定を行うメディア判定ステップとを含み、
前記ダビング管理ステップにおいて、前記メディア記録ステップで前記記録保持手段から当該蓄積メディアに対して前記ＡＶデータの移動が実行される際、前記判定結果に応じて異なる更新を前記ＡＶデータに対応する前記ダビング管理情報に行う
データ記録方法。
【請求項８】
データ記録装置のデータ記録を行うためのプログラムであって、
複数回のダビングが許可される著作権保護方式に対応したＡＶデータを前記データ記録装置が備える記録媒体に記録して保持する記録保持ステップと、
可搬で、かつ、ＡＶデータが蓄積可能な容量を有する少なくとも１つの蓄積メディアと前記記録媒体との間若しくは前記蓄積メディアと、当該蓄積メディアと異なる蓄積メディアとの間でＡＶデータのダビングまたは移動を実行するメディア記録ステップと、
前記ＡＶデータに対して前記著作権保護方式に準拠して付与されたダビング可能回数を含むダビング管理情報の管理を行うダビング管理ステップと、
前記メディア記録ステップにおいて当該ＡＶデータのダビングまたは移動を実行する対象である蓄積メディアのメディア種別に基づいて、当該蓄積メディアが書き換え可能であるかまたは書き換え不可であるかの判定を行うメディア判定ステップとを含み、
前記ダビング管理ステップにおいて、前記メディア記録ステップで前記記録保持手段から当該蓄積メディアに対して前記ＡＶデータの移動が実行される際、前記判定結果に応じて異なる更新を前記ＡＶデータに対応する前記ダビング管理情報に行う
コンピュータに実行させるためのプログラム。
【発明の詳細な説明】
【技術分野】
【０００１】
本発明は、データ記録装置、データ記録方法およびプログラムに関し、特に、複数回ダビング可能な著作権保護方式に対応したデジタルコンテンツをダビングするための技術に関する。
【背景技術】
【０００２】
近年、デジタル放送対応の録画機器（以下、データ記録装置と称す）の普及に伴い、家庭内に大量のデジタルコンテンツ（以下、ＡＶ（Ａｕｄｉｏ  ａｎｄ  Ｖｉｓｕａｌ）データと称す）が蓄積されるようになってきている。【０００３】
また、録画したＡＶデータを、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｃ）およびＳＤメモリカード（Ｓｅｃｕｒｅ  Ｄｉｇｉｔａｌ  Ｍｅｍｏｒｙ  Ｃａｒｄ）等の可搬かつＡＶデータが蓄積可能な容量を有する蓄積メディアに移動（ＭＯＶＥ）させ、他のデジタル家電機器、ＰＣ（Ｐｅｒｓｏｎａｌ  Ｃｏｍｐｕｔｅｒ）および携帯機器等で楽しむといった視聴スタイルも定着しつつある。【０００４】
ここで、ＭＯＶＥとは、蓄積メディアにＡＶデータのコピーを作成した後、例えばＨＤＤ（Ｈａｒｄ  Ｄｉｓｋ  Ｄｒｉｖｅ）等に記録されているオリジナルのＡＶデータを削除するＡＶデータの複製方法である。【０００５】
そういった中、２００８年６月から、地上デジタル放送において、ダビング１０方式の運用が開始されている。ダビング１０方式とは、ＡＶデータのコピーを１度しか作成できない従来の著作権保護方式の一方式であるコピーワンス方式の運用を緩和するものであり、ＡＶデータの９回のコピーおよび１回のＭＯＶＥが可能となる方式である。【０００６】
こういった複数回のダビングが可能な著作権保護方式に対応（以下、複数回ダビング対応と称す）したＡＶデータの運用開始により、ユーザは、これまで以上に、様々なデジタル家電機器を利用してＡＶデータの視聴を楽しめるようになる。【０００７】
ダビング１０方式のような複数回ダビング対応の著作権保護方式では、データ記録装置に記録した複数回ダビング対応のＡＶデータを、ダビングが可能な回数（以下、ダビング可能回数と称す）が残った状態（例えば、ダビング１０方式においては、多くても８回しかダビングをしていない状態）で蓄積メディアにＭＯＶＥする場合、ユーザは、蓄積メディアにＭＯＶＥしたＡＶデータを他のデータ記録装置や他の蓄積メディアに対して、残りのダビング可能回数分のダビングを実行することができる。【０００８】
特許文献１には、蓄積メディアに記録したＡＶデータのダビング可能回数を管理する従来の技術が開示されている。【０００９】
この特許文献１に開示されている従来技術では、蓄積メディアにＡＶデータをダビングとしてコピーする際には、ＡＶデータと共にコピーに関する管理情報を蓄積メディアに書き込み、さらに、蓄積メディアに記録されているＡＶデータを他の機器や蓄積メディアにダビングとしてコピーする際には、ＡＶデータをコピーする際に書き込んだコピーに関する管理情報を更新することにより、ダビング可能回数の管理を可能にしている。
【先行技術文献】
【特許文献】
【００１０】
【特許文献１】特開２００２−３６７２９２号公報
【発明の概要】
【発明が解決しようとする課題】
【００１１】
しかしながら、上記特許文献１に開示されているような従来技術では、ＡＶデータと共に蓄積メディアに書き込んだコピーに関する管理情報、すなわち、ダビング可能回数に関する管理情報を更新する必要がある。そのため、ＤＶＤ−Ｒ（Ｄｉｇｉｔａｌ  Ｖｅｒｓａｔｉｌｅ  Ｄｉｓｋ  Ｒｅｃｏｒｄａｂｌｅ）のような１度しか書き込みができない蓄積メディアや、ダビング可能回数などのコピー（ダビング）に関する管理情報を書き込むことが不可能な蓄積メディアの場合、ダビング可能回数に関する情報の管理ができなくなるという課題がある。【００１２】
また、ＤＶＤ−Ｒのような書き換え不可型の蓄積メディアにＭＯＶＥした場合、ＤＶＤ−ＲＡＭ(Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ)のような書き換え可能型の蓄積メディアとは異なり、ＡＶデータの最後のＭＯＶＥができなくなる。しかし、上記特許文献１に開示されているような従来技術では複数回ダビング対応のＡＶデータにおいては、書き込む蓄積メディアが書き換え不可型か、書き換え可能型かを考慮したダビング可能回数の管理ができないという課題がある。【００１３】
本発明は、上記課題を解決するためになされたものであり、蓄積メディアの種別に応じたＡＶデータのダビング可能回数に関する情報の管理を可能にするデータ記録装置を提供することを目的とする。
【課題を解決するための手段】
【００１４】
上記目的を達成するために、本発明に係るデータ記録装置は、複数回のダビングが許可される著作権保護方式に対応したＡＶデータを記録して保持する記録保持手段と、可搬で、かつ、ＡＶデータが蓄積可能な容量を有する少なくとも１つの蓄積メディアと前記記録保持手段との間若しくは前記蓄積メディアと、当該蓄積メディアと異なる蓄積メディアとの間でＡＶデータのダビングまたは移動を実行するメディア記録手段と、前記ＡＶデータに対して前記著作権保護方式に準拠して付与されたダビング可能回数を含むダビング管理情報の管理を行うダビング管理手段と、前記メディア記録手段が当該ＡＶデータのダビングまたは移動を実行する対象である蓄積メディアのメディア種別に基づいて、当該蓄積メディアが書き換え可能であるかまたは書き換え不可であるかの判定を行うメディア判定手段とを備え、前記ダビング管理手段は、前記メディア記録手段が前記記録保持手段から当該蓄積メディアに対して前記ＡＶデータの移動を実行する際、前記判定結果に応じて異なる更新を前記ＡＶデータに対応する前記ダビング管理情報に行う。【００１５】
この構成によれば、蓄積メディアの種別に応じたＡＶデータのダビング可能回数に関する情報の管理を可能にするデータ記録装置を実現することができる。【００１６】
具体的には、メディア判定手段により蓄積メディアが書き換え不可なのか書き換え可能なのかを判定し、ダビング管理手段が残りのダビング可能回数をその判定結果に応じて更新する。それにより、ユーザは、蓄積メディアの違いを意識することなく、残りのダビング可能回数、すなわち、コピー残回数を正確に把握することが可能となる。【００１７】
また、前記ダビング管理手段は、前記メディア記録手段により前記蓄積メディアのメディア種別に基づいて前記蓄積メディアが書き換え不可であるという判定が行われた場合、前記メディア記録手段による当該移動の実行とともに、前記ＡＶデータに対応する前記ダビング可能回数の値を減算することにより前記判定結果に応じて異なる更新を前記ダビング管理情報に行ってもよい。【００１８】
また、前記ダビング管理手段は、前記判定結果に基づいて前記ダビング可能回数の値を１減算するとしてもよい。【００１９】
また、前記ダビング管理手段は、前記メディア記録手段により前記蓄積メディアのメディア種別に基づいて前記蓄積メディアが書き換え可能であるという判定が行われた場合、前記メディア記録手段による当該移動の実行とともに、前記ＡＶデータに対応する前記ダビング可能回数の値を維持することにより前記判定結果に応じて異なる更新を前記ダビング管理情報に行うとしてもよい。【００２０】
また、上記目的を達成するために、本発明に係るデータ記録方法は、データ記録装置のデータ記録方法であって、複数回のダビングが許可される著作権保護方式に対応したＡＶデータを前記データ記録装置が備える記録媒体に記録して保持する記録保持ステップと、可搬で、かつ、ＡＶデータが蓄積可能な容量を有する少なくとも１つの蓄積メディアと前記記録媒体との間若しくは前記蓄積メディアと、当該蓄積メディアと異なる蓄積メディアとの間でＡＶデータのダビングまたは移動を実行するメディア記録ステップと、前記ＡＶデータに対して前記著作権保護方式に準拠して付与されたダビング可能回数を含むダビング管理情報の管理を行うダビング管理ステップと、前記メディア記録ステップにおいて当該ＡＶデータのダビングまたは移動を実行する対象である蓄積メディアのメディア種別に基づいて、当該蓄積メディアが書き換え可能であるかまたは書き換え不可であるかの判定を行うメディア判定ステップとを含み、前記ダビング管理ステップにおいて、前記メディア記録ステップで前記記録保持手段から当該蓄積メディアに対して前記ＡＶデータの移動が実行される際、前記判定結果に応じて異なる更新を前記ＡＶデータに対応する前記ダビング管理情報に行う。【００２１】
なお、本発明は、装置として実現したりその装置を構成する処理手段をステップとする方法として実現したりするだけでなく、それらステップをコンピュータに実行させるプログラムとして実現したり、そのプログラムを示す情報、データまたは信号として実現したりすることもできる。そして、それらプログラム、情報、データおよび信号は、ＣＤ−ＲＯＭ等の記録媒体やインターネット等の通信媒体を介して配信してもよい。
【発明の効果】
【００２２】
本発明によれば、蓄積メディアの種別に応じたＡＶデータのダビング可能回数に関する情報の管理を可能にするデータ記録装置を実現することができる。【００２３】
具体的には、１度しか書き込みができない書き換え不可型の蓄積メディアおよび書き込んだダビング可能回数などのダビング管理情報を更新することが不可能な蓄積メディアにおいても、複数回ダビング対応のＡＶデータに対するダビング可能回数などのダビング管理情報の管理ができる。
【図面の簡単な説明】
【００２４】
【図１】図１は、本発明の実施の形態に係るデータ記録装置の構成を示すブロック図である。
【図２】図２は、本発明の実施の形態に係るデータ記録装置がダビング１０方式の運用規定に従って、蓄積メディアにＡＶデータをダビングする様子を示した図である。
【図３】図３は、本発明の実施の形態に係るデータ記録装置において書き換え型蓄積メディアにＭＯＶＥした場合の動作の概要を示す図である。
【図４】図４は、本発明の実施の形態に係るデータ記録装置において、追記型蓄積メディアにＭＯＶＥした場合の動作の概要を説明する図である。
【図５】図５は、本発明の実施の形態に係るデータ記録装置のＨＤＤ内に蓄積されているダビング１０方式対応のＡＶデータを、蓄積メディアにダビングまたはＭＯＶＥする際の操作イメージの一例を示す図である。
【図６】図６は、ＡＶデータ名「映画」のＡＶデータを、本発明の実施の形態に係るデータ記録装置内のＨＤＤから書き換え型蓄積メディアであるＤＶＤ−ＲＡＭにＭＯＶＥした後の、データ記録装置内のＨＤＤに蓄積されているＡＶデータの内容を表示した図である。
【図７】図７は、ＡＶデータ名「映画」のＡＶデータを、本発明の実施の形態に係るデータ記録装置内のＨＤＤからＤＶＤ−ＲＡＭにＭＯＶＥした後の、ＤＶＤ−ＲＡＭのＡＶデータの内容を表示した図である。
【図８】図８は、ＡＶデータ名「サッカー」のＡＶデータを、追記型蓄積メディアであるＤＶＤ−ＲにＭＯＶＥした後の、本発明の実施の形態に係るデータ記録装置内のＨＤＤのＡＶデータの内容を表示した図である。
【図９】図９は、ＡＶデータ名「サッカー」のＡＶデータを、本発明の実施の形態に係るデータ記録装置内のＨＤＤからＤＶＤ−ＲにＭＯＶＥした後の、ＤＶＤ−ＲのＡＶデータの内容を表示した図である。
【図１０Ａ】図１０Ａは、本発明の実施の形態に係るデータ記録装置が管理するダビング管理情報を概念的に示す図である。
【図１０Ｂ】図１０Ｂは、本発明の実施の形態に係るデータ記録装置が管理するダビング管理情報を概念的に示す図である。
【図１１】図１１は、本発明の実施の形態に係るデータ記録装置のデジタル放送の記録動作を示すフローチャートである。
【図１２】図１２は、本発明の実施の形態に係るデータ記録装置が、データ記録手段に記録したＡＶデータを蓄積メディアとの間で相互にダビングする場合の動作を示すフローチャートである。
【図１３】図１３は、本発明の実施の形態における蓄積メディアへのダビングまたはＭＯＶＥ処理の流れを示すフローチャートである。
【図１４】図１４は、本発明の実施の形態における蓄積メディアへのダビング処理の流れを示すフローチャートである。
【図１５】図１５は、本発明の実施の形態における蓄積メディアへのＭＯＶＥ処理の流れを示すフローチャートである。
【図１６】図１６は、本発明の実施の形態における蓄積メディアからデータ記録手段へのダビングまたはＭＯＶＥ処理の流れを示すフローチャートである。
【図１７】図１７は、本発明の実施の形態における蓄積メディアから他の蓄積メディアへのダビング処理の流れを示すフローチャートである。
【図１８】図１８は、本発明の実施の形態における蓄積メディアから他の蓄積メディアへのＭＯＶＥ処理の流れを示すフローチャートである。
【発明を実施するための形態】
【００２５】
以下に、本発明を実施するための最良の形態について、図面を参照しながら説明する。
【００２６】
（実施の形態）
本実施の形態においては、複数回ダビング対応のＡＶデータとして地上デジタル放送におけるダビング１０方式に対応したＡＶデータを例に挙げて説明する。
【００２７】
まず、本実施の形態におけるデータ記録装置１０１の構成について説明する。図１は、本実施の形態に係るデータ記録装置の構成を示すブロック図である。
【００２８】
図１において、データ記録装置１０１は、制御手段１１、受信手段１２、データ記録手段１３、ダビング管理情報管理手段１４、表示手段１５、入力手段１６、メディア記録手段１７およびメディア判定手段１８で構成されている。
【００２９】
制御手段１１は、データ記録装置１０１内の各ブロック（各手段）の動作を制御する。
【００３０】
受信手段１２は、チューナ機能を有しており、デジタル放送を受信し選局する。受信手段１２は、選局したデジタル放送の映像／音声データを復号して出力する。また、受信手段１２は、デジタル放送に含まれるＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）情報から、複数回コピーが可能か否かの情報、すなわち、ダビング１０方式に対応したＡＶデータ（複数回ダビング対応のＡＶデータ）であるか否かを示す情報を抽出する。
【００３１】
データ記録手段１３は、例えば、ＨＤＤまたはフラッシュメモリ等で構成され、受信手段１２が出力した映像／音声データであるＡＶデータを記録する。ここで、データ記録手段１３は、本発明に係る記録保持手段に相当する。
【００３２】
ダビング管理情報管理手段１４は、ＡＶデータのダビング管理情報を生成／管理する。すなわち、ダビング管理情報管理手段１４は、ダビング１０方式に準拠してデータ記録手段１３に記録されているＡＶデータに付与されたダビング可能回数を含むダビング管理情報の管理を行う。また、ダビング管理情報管理手段１４は、データ記録手段１３に記録されているＡＶデータに関するダビング管理情報だけではなく、データ記録手段１３から蓄積メディアにコピーまたはＭＯＶＥした後のすべてのＡＶデータのダビング管理情報を管理する。
【００３３】
例えば、ダビング管理情報管理手段１４は、メディア記録手段１７がデータ記録手段１３から蓄積メディアに対してＡＶデータのＭＯＶＥを実行する際、蓄積メディアが書き換え可能か否かに従って、例えばダビング可能回数などのＡＶデータに関するダビング管理情報を更新するという管理を行う。
【００３４】
表示手段１５は、例えば、ＣＲＴ（Ｃａｔｈｏｄｅ  Ｒａｙ  Ｔｕｂｅ）またはＬＣＤ（Ｌｉｑｕｉｄ  Ｃｒｙｓｔａｌ  Ｍｏｎｉｔｏｒ）等のディスプレイであり、ＡＶデータの再生表示やＡＶデータ一覧画面などの表示を行う。なお、表示手段１５は、再生されるＡＶデータまたはＡＶデータ一覧画面を再生ＣＲＴまたはＬＣＤ等の表示用のディスプレイに表示させるとしてもよい。その場合、データ記録装置１０１または表示手段１５が別途表示用のディスプレイを具備するように構成しても良いし、データ記録装置１０１の外に別途表示用のディスプレイを配置するように構成してもよい。
【００３５】
入力手段１６は、ユーザからの操作入力情報を受信する。入力手段１６は、例えば、データ記録装置１０１が具備する操作キーまたはリモートコントローラのような形態で構成され、ユーザからの操作入力情報を受信する。
【００３６】
メディア記録手段１７は、蓄積メディアに記録されているＡＶデータの読み込みおよび蓄積メディアへのＡＶデータの書き込みを行う。また、メディア記録手段１７は、さらに、蓄積メディアから例えばメディア識別子などメディアに関する情報（以下、メディア情報と記載）を読み込み、それをダビング管理情報管理手段１４に通知する。ここで、メディア識別子は、個々の蓄積メディアに付与されており、個々の蓄積メディアを一意に識別することが可能な識別子である。
【００３７】
また、メディア記録手段１７は、蓄積メディアとデータ記録手段１３との間若しくは異なる蓄積メディア間でＡＶデータのダビングまたはＭＯＶＥを実行する。
【００３８】
なお、メディア記録手段１７が読み込むまたは書き込む対象である蓄積メディアとして、ＤＶＤ−Ｒ、ＤＶＤ−ＲＡＭ、ＢＤ−Ｒ、ＢＤ−ＲＥ（ＢＤ（Ｂｌｕ−ｒａｙ  Ｄｉｓｃ(登録商標)））などのディスクメディアを例に挙げて以下説明するがこれに限定されるものではない。例えば、ＳＤカードのようなＦｌａｓｈ  Ｍｅｍｏｒｙ型の蓄積メディアまたは書き込み可能な半導体メモリなどを読み込むとしてもよい。
【００３９】
メディア判定手段１８は、メディア記録手段１７がダビングまたはＭＯＶＥを実行する対象であるＡＶデータが蓄積された蓄積メディアのメディア種別を判定し、判定したメディア種別をダビング管理情報管理手段１４に通知する。ここで、メディア種別は、ＡＶデータ（コンテンツ）を蓄積する蓄積メディアの物理的な種別を表すものであり、例えば、ＨＤＤ、ＤＶＤ−Ｒ、ＤＶＤ−ＲＡＭ、ＢＤ−ＲおよびＢＤ−ＲＥ等がこれに該当する。したがって、このメディア種別により、蓄積メディアが書き換え型蓄積メディアか、追記型蓄積メディアかを判別することができる。
【００４０】
なお、メディア判定手段１８は、データ記録手段１３がＡＶデータのダビングまたはＭＯＶＥを実行する対象である蓄積メディアのメディア種別を判定し、その判定に基づいて、その蓄積メディアが書き換え可能であるかまたは書き換え不可であるかの判別を行うとしてもよい。また、メディア判定手段１８は、蓄積メディアのメディア種別の判定を行い、判定したメディア種別をダビング管理情報管理手段１４に通知し、その蓄積メディアが書き換え可能であるかまたは書き換え不可であるかの判別は、ダビング管理情報管理手段１４が行うとしてもよい。
【００４１】
以上のように、データ記録装置１０１は、構成される。この構成により、データ記録装置１０１は、蓄積メディアが書き換え可能な書き換え型蓄積メディアであるか、書き換え不可の追記型蓄積メディアであるかを問わず、蓄積メディアの種別に応じて複数回ダビング対応のＡＶデータのダビング可能回数に関する情報を管理することができる。
【００４２】
以下、本実施の形態における複数回ダビング対応のＡＶデータのダビング可能回数に関する情報の管理について例を挙げて説明する。
【００４３】
まず、図２を用いて、地上デジタル放送におけるダビング１０方式の概要に関して説明する。なお、図２は、本発明の実施の形態に係るデータ記録装置がダビング１０方式の運用規定に従って、蓄積メディアにＡＶデータをダビングする様子を示した図である。図２では、地上デジタル放送から取得したダビング１０方式に対応したＡＶデータを録画した本実施の形態に係るデータ記録装置が、ダビング１０方式の運用規定に従って、蓄積メディアにＡＶデータをダビングする様子を示している。また、ダビング１０方式の詳細に関しては、総務省や社団法人デジタル放送推進協会において情報が公開されているので、ここでは説明を省略する。
【００４４】
図２において、データ記録装置１０１は、データ記録装置１０１が具備するデータ記録手段１３に記録媒体であるＨＤＤを内蔵しており、受信手段１２により地上デジタル放送を受信して得たＡＶデータを内蔵するそのＨＤＤに記録しているとする。ダビング１０方式の運用規定では、データ記録装置１０１に記録したＡＶデータのコピーの作成が９回（９個の蓄積メディア１１１〜１１９を作成）まで可能であり、さらに、９回のコピーの作成後、データ記録装置１０１内のＨＤＤに記録されたＡＶデータを蓄積メディア１２０にＭＯＶＥ（１回だけＭＯＶＥ可能）することが可能である。すなわち、ダビング１０は、ダビング９回目までに相当する９回のコピーとダビング１０回目に相当するＭＯＶＥとが規格上許される。それにより、地上デジタル放送からデータ記録装置１０１のＨＤＤに記録したＡＶデータをコピーして記録した蓄積メディアが最大１０個まで作成可能となる。
【００４５】
ここで、上述したが、ＭＯＶＥとは、蓄積メディアにＡＶデータのコピーを作成した後、データ記録装置１０１内のＨＤＤに記録されているオリジナルのＡＶデータを削除するＡＶデータの複製方法である。
【００４６】
なお、地上デジタル放送からデータ記録装置１０１のＨＤＤに記録したＡＶデータのコピー先またはＭＯＶＥ先は、図２に示すようなディスクメディアなどに表される蓄積メディアに限定されるものではない。例えば、ネットワークなどでデータ記録装置１０１と相互に接続された例えばＨＤＤ内蔵の他のデータ記録装置または携帯機器等を蓄積メディアとして取り扱っても良い。
【００４７】
また、図２に示す蓄積メディア１１１〜１２０は、書き換え可能な蓄積メディア（以下、書き換え型蓄積メディアと称す）および書き換えが不可能な蓄積メディア（以下、追記型蓄積メディアと称す）のいずれかの蓄積メディアである。
【００４８】
次に、図３を用いて、データ記録装置１０１に一旦記録したダビング１０方式に対応したＡＶデータを、書き換え型蓄積メディア２０１にＭＯＶＥした場合の動作の概要について説明する。なお、図３は、データ記録装置に記録したダビング１０方式対応のＡＶデータを、書き換え型蓄積メディアにＭＯＶＥした場合の動作の概要を示す図である。
【００４９】
図３において、データ記録装置１０１に記録されたダビング１０方式対応のＡＶデータを、書き換え型蓄積メディア２０１にＭＯＶＥした場合、残っているダビング可能回数は引き継がれる。そのため、データ記録装置１０１から書き換え型蓄積メディア２０１に引き継がれるダビング可能回数は１０回である。
【００５０】
したがって、ＭＯＶＥ後の書き換え型蓄積メディア２０１は、別の蓄積メディアへ９回のコピー（蓄積メディア２１１〜２１９へのコピーの作成）が可能である。また、データ記録装置１０１からのＭＯＶＥ先である蓄積メディアは、図３に示す例のように、書き換え型蓄積メディア２０１であり、書き換え型蓄積メディア２０１からのＡＶデータの削除が可能であるので、書き換え型蓄積メディア２０１から蓄積メディア２２０へのＭＯＶＥ（１０回目のダビング）が可能である。
【００５１】
次に、図４を用いて、データ記録装置１０１に一旦記録したダビング１０方式対応のＡＶデータを、書き換え不可能な追記型蓄積メディア３０１にＭＯＶＥした場合の動作の概要について説明する。なお、図４は、データ記録装置に記録したダビング１０方式対応のＡＶデータを、追記型蓄積メディアにＭＯＶＥした場合の動作の概要を説明する図である。
【００５２】
図４において、図３に示した例と同様に、データ記録装置１０１に記録されたダビング１０方式対応のＡＶデータを、追記型蓄積メディア３０１にＭＯＶＥした場合、ダビング１０方式におけるダビング可能回数は引き継がれる。そのため、データ記録装置１０１から追記型蓄積メディア３０１に引き継がれるダビング可能回数は１０回である。
【００５３】
したがって、ＭＯＶＥ後の追記型蓄積メディア３０１は、別の蓄積メディアへ９回のコピー（蓄積メディア３１１〜３１９へのコピーの作成）が可能である。しかしながら、データ記録装置１０１からのＭＯＶＥ先である蓄積メディアは、図４に示す例のように、追記型蓄積メディア３０１であり、追記型蓄積メディア３０１からのＡＶデータの削除が不可能であるので、追記型蓄積メディア３０１から蓄積メディア３２０へのＭＯＶＥ（１０回目のコピー）は不可能である。
【００５４】
以上のように、データ記録装置１０１は、書き換え型蓄積メディア２０１または追記型蓄積メディア３０１にＭＯＶＥした場合、蓄積メディアの種別によって、１０回目のダビングに相当するＭＯＶＥが可能であったり不可能であったりする。
【００５５】
次に、データ記録装置１０１におけるＡＶデータのダビング可能回数に関する情報の管理方法に関して説明する。すなわち、図５を参照しながら、データ記録装置１０１においてダビング１０方式対応のＡＶデータをダビングする際の、追記型蓄積メディアと書き換え型蓄積メディアにおけるダビング回数のカウント方法に関して説明する。なお、図５は、データ記録装置のＨＤＤ内に蓄積されているダビング１０方式対応のＡＶデータを、蓄積メディアにダビングまたはＭＯＶＥする際の操作イメージの一例を示す図である。
【００５６】
図５において、ユーザは、データ記録装置１０１が具備する表示手段１５（図示せず）の画面４０１に表示されているコンテンツ一覧を示すＡＶデータ一覧４０２から、ダビング（コピー）またはＭＯＶＥしたいＡＶデータを選択する。図５に示す例では、データ記録装置１０１のＨＤＤには、「映画」、「サッカー」、「ドラマ」、「ノンフィクション」および「ニュース」の５つのＡＶデータが記録されている。ＡＶデータ一覧４０２に表示されている残回数は、それぞれのＡＶデータのダビング可能回数であるダビングの残回数を表しており、この残回数の値は、当該ＡＶデータを蓄積メディアや別のデータ記録装置にダビングする毎に減少する。
【００５７】
また、図５に示す例では、「映画」および「サッカー」はダビングの実施が０回で残回数、すなわち、ダビングの残回数の値が１０、「ドラマ」、「ノンフィクション」および「ニュース」は各々ダビングを２回実施し、ダビングの残回数の値が８であることを示している。
【００５８】
なお、画面４０１の左上に表示されている「ＨＤＤ」は、ＡＶデータ一覧４０２に表示されているＡＶデータが記録されている蓄積メディアを示している。
【００５９】
また、操作指示表示領域４０３には、ユーザへのメッセージが表示されている。図５に示す例では、ＡＶデータ一覧４０２において網点で示されている選択中のＡＶデータ名「映画」をＭＯＶＥするか否かを確認するメッセージが表示されている。ユーザは、選択中のＡＶデータ名「映画」をＭＯＶＥする場合はＯＫボタン４０４を、ＭＯＶＥしない場合はＣＡＮＣＥＬボタン４０５を選択する。
【００６０】
次に、図５のＡＶデータ一覧４０２に示されるＡＶデータを、データ記録装置１０１のＨＤＤから他の蓄積メディアにコピーまたはＭＯＶＥした後の各蓄積メディアにおけるＡＶデータのダビング可能回数のカウント方法を図６〜図９を用いて説明する。
【００６１】
まず、図６は、ＡＶデータ名「映画」のＡＶデータを、データ記録装置１０１内のＨＤＤから書き換え型蓄積メディアであるＤＶＤ−ＲＡＭにＭＯＶＥした後の、データ記録装置１０１内のＨＤＤに蓄積されているＡＶデータの内容（ＡＶデータ一覧５０２）を画面４０１に表示した図である。図６において、ＡＶデータ名「映画」のＡＶデータは、ＤＶＤ−ＲＡＭにＭＯＶＥされた後、データ記録装置１０１内のＨＤＤから削除されるため、ＡＶデータ一覧５０２には表示されていない。
【００６２】
図７は、ＡＶデータ名「映画」のＡＶデータを、データ記録装置１０１内のＨＤＤからＤＶＤ−ＲＡＭにＭＯＶＥした後の、ＤＶＤ−ＲＡＭのＡＶデータ一覧の内容を表示した図である。画面６０１上のＡＶデータ一覧６０２には、ＨＤＤからＭＯＶＥした「映画」のＡＶデータが表示されている。「映画」のＡＶデータは、データ記録装置１０１内のＨＤＤのＡＶデータ一覧４０２（図５参照）に残回数（ダビングの残回数）の値が１０と表示されていたため、ＭＯＶＥした先のＤＶＤ−ＲＡＭのＡＶデータ一覧６０２においても、同様に残回数の値は１０と表示される。なお、画面６０１の左上に表示されている「ＤＶＤ−ＲＡＭ」は、ＡＶデータ一覧６０２に表示されているＡＶデータが記録されている蓄積メディアを示している。
【００６３】
図８は、ＡＶデータ名「サッカー」のＡＶデータを、追記型蓄積メディアであるＤＶＤ−ＲにＭＯＶＥした後の、データ記録装置１０１内のＨＤＤのＡＶデータ一覧の内容を表示した図である。「サッカー」のＡＶデータは、ＤＶＤ−ＲにＭＯＶＥ後、データ記録装置１０１内のＨＤＤから削除されるため、画面４０１に表示されるＡＶデータ一覧７０２には表示されない。
【００６４】
図９は、ＡＶデータ名「サッカー」のＡＶデータを、データ記録装置１０１内のＨＤＤからＤＶＤ−ＲにＭＯＶＥした後の、ＤＶＤ−ＲのＡＶデータ一覧の内容を表示した図である。画面８０１上のＡＶデータ一覧８０２には、ＨＤＤからＭＯＶＥした「サッカー」のＡＶデータが表示されている。なお、画面８０１の左上に表示されている「ＤＶＤ−Ｒ」は、ＡＶデータ一覧８０２に表示されているＡＶデータが記録されている蓄積メディアを示している。
【００６５】
ここで、データ記録装置１０１内のＨＤＤのＡＶデータ一覧４０２（図５参照）においては、「サッカー」のＡＶデータ名を有するＡＶデータのダビングの残回数の値は１０と表示されていたにも関わらず、ＭＯＶＥした先のＤＶＤ−ＲのＡＶデータ一覧８０２では、「サッカー」のＡＶデータ名を有するＡＶデータの残回数の値は９と表示されている。これは、ＤＶＤ−Ｒは書き換え不可型の蓄積メディアであり、ＡＶデータの削除が必要となるＭＯＶＥが実行できないため、１０回目のダビングに相当するＭＯＶＥ分を１回減算した値を表示しているからである。
【００６６】
なお、従来のデータ記録装置では、蓄積メディアがＤＶＤ−Ｒであっても書き換え不可型の蓄積メディアであることを判別しないので、ＡＶデータの削除が必要となるＭＯＶＥが実行できない。すなわち、従来のデータ記録装置では、９回コピーしかできないのにかかわらずＡＶデータの残回数の値は１０と不正確に表示されることもあった。それに対して本実施の形態に係るデータ記録装置１０１では、メディア判定手段１８により蓄積メディアが書き換え不可型なのか書き換え可能型なのかを判別し、それに応じてダビング管理情報管理手段１４が残りのダビング可能回数を管理する。そして、表示手段１５により蓄積メディアの違いに対応した残りのダビング可能回数を表示する。それにより、ユーザは、蓄積メディアの違いを意識することなく、残りのダビング可能回数、すなわち、コピー残回数を正確に把握することが可能となる。
【００６７】
次に、データ記録装置１０１が保持するダビング可能回数に関する管理情報であるダビング管理情報、すなわち、ダビング管理情報管理手段１４が管理する残回数（ダビングの残回数）の管理情報に関して説明する。本実施の形態においては、蓄積メディアにコピーまたはＭＯＶＥした後の残回数の管理情報もデータ記録装置１０１で管理するようにしている。これにより、追記型蓄積メディアや、残回数の管理情報を書き込むことのできない書き換え可能型蓄積メディアにダビング管理情報を記録する必要がなくなり、コピー先およびＭＯＶＥ先の蓄積メディアを含めたダビング可能回数の管理が可能となる。
【００６８】
図１０Ａおよび図１０Ｂは、本実施の形態に係るデータ記録装置が管理するダビング管理情報を概念的に示す図である。
【００６９】
図１０Ａは、図４の画面４０１と同様に、データ記録装置１０１内のＨＤＤに「映画」、「サッカー」、「ドラマ」、「ノンフィクション」および「ニュース」ののＡＶデータ名を有する５つのＡＶデータが記録されている状態において、データ記録装置１０１が管理するダビング管理情報を示す図である。
【００７０】
図１０Ａにおいては、全てのＡＶデータはＨＤＤに記録されているため、ＨＤＤを判別することが可能なメディア識別子（ＨＤＤ−０００１）がこのＨＤＤに付与されている。
【００７１】
ここで、図１０Ａおよび図１０Ｂに示すメディア識別子は、個々の蓄積メディアに付与されており、個々の蓄積メディアを一意に識別することが可能な識別子である。なお、メディア識別子に関しては、ＡＶデータを記録している蓄積メディアを一意に判別することが可能な識別子であれば、特に形態を限定するものではない。
【００７２】
また、図１０Ａおよび図１０Ｂに示すメディア種別は、ＡＶデータ（コンテンツ）を蓄積する蓄積メディアの物理的な種別を表すものであり、例えば、ＨＤＤ、ＤＶＤ−Ｒ、ＤＶＤ−ＲＡＭ、ＢＤ−ＲおよびＢＤ−ＲＥ等がこれに該当する。このメディア種別により、メディア判定手段１８は、蓄積メディアが書き換え型蓄積メディアか、追記型蓄積メディアかを判別することができる。
【００７３】
また、ＡＶデータ名は、個々のＡＶデータに付与されている識別子であり、例えば、「映画」、「サッカー」、「ドラマ」、「ノンフィクション」または「ニュース」などの地上デジタル放送の番組名等がこれに該当する。また、残回数は、各々のＡＶデータのダビング可能な残回数（ダビングの残回数）を示すものであり、この残回数の値は、ＡＶデータをダビングする毎に１ずつ減算される。
【００７４】
図１０Ｂは、図１０Ａにおけるダビング管理の状態から、ＤＶＤ−ＲＡＭに「映画」のＡＶデータ名を有するＡＶデータを、ＤＶＤ−Ｒに「サッカー」のＡＶデータ名を有するＡＶデータをそれぞれＭＯＶＥした後の上述した図７〜図９に示すような状態において、データ記録装置１０１が管理するダビング管理情報を示す図である。
【００７５】
図１０Ｂにおいては、ＤＶＤ−ＲＡＭにＭＯＶＥされた「映画」のＡＶデータのメディア識別子が、ＤＶＤ−ＲＡＭに付与されていたメディア識別子である「ＤＶＤ−ＲＡＭ−０００１」に、メディア種別が「ＤＶＤ−ＲＡＭ」にそれぞれ更新されている。また、ＤＶＤ−ＲにＭＯＶＥされた「サッカー」のＡＶデータのメディア識別子が、ＤＶＤ−Ｒに付与されていたメディア識別子である「ＤＶＤ−Ｒ−０００１」に、メディア種別が「ＤＶＤ−Ｒ」にそれぞれ更新されている。ここで、ＤＶＤ−Ｒは、書き換えが不可型の蓄積メディアであるため、データ名「サッカー」の残回数は図１０Ａと比較して１減算されている。
【００７６】
このように、本実施の形態に係るデータ記録装置１０１では、メディア判定手段１８は、メディア種別を判定し、判定したメディア種別に基づいて蓄積メディアが書き換え不可型なのか書き換え可能型なのかを判別する。ダビング管理情報管理手段１４は、その判定結果に応じてＭＯＶＥ後またはダビング後における残りのダビング可能回数をダビング管理情報として管理する。そして、表示手段１５は、図６〜図８に示すように、ダビング管理情報に基づいて蓄積メディアの違いに対応した残りのダビング可能回数を表示する。それにより、ユーザは、蓄積メディアの違いを意識することなく、残りのダビング可能回数、すなわち、ダビングの残回数を正確に把握することが可能となる。
【００７７】
なお、従来のデータ記録装置では、蓄積メディアが書き換え不可型なのか書き換え可能型を考慮して、ＭＯＶＥ後またはダビング後における残りのダビング可能回数を管理することができなかった。そのため、従来のデータ記録装置では、例えば、ＡＶデータの削除が必要となるＭＯＶＥが実行できる蓄積メディアに対して、ダビング９回分に相当する９回のコピーに加えてダビング１０回目となるＭＯＶＥが可能であったのにかかわらずＡＶデータの残回数の値は９と表示されてしまい、ユーザがダビングの残回数を正確に把握することが難しかった。
【００７８】
次に、図１１〜図１８を用いて、データ記録装置１０１の動作について説明する。
【００７９】
まず、図１１は、本実施の形態におけるデータ記録装置のデジタル放送の記録動作を示すフローチャートである。
【００８０】
図１１において、まず、ユーザによりデジタル放送の録画が指示されると、データ記録装置１０１は記録動作を開始（Ｓ１１０１）する。受信手段１２は、ユーザが録画を選択したデジタル放送のチャンネルを選局し、選局したチャンネルのＡＶデータを受信するとともに、選局したチャンネルにおけるＡＶデータのＳＩ／ＰＳＩ情報に含まれるダビング１０方式に対応したＡＶデータであるか否かを示す情報を抽出する（Ｓ１１０２）。
【００８１】
次に、データ記録手段１３は、受信手段１２が選局したチャンネルのＡＶデータを記録する（Ｓ１１０３）。なお、データ記録手段１３に記録される映像／音声データ（ＡＶデータ）の圧縮フォーマットに関しては、本発明の主旨ではないので、ここでは言及しない。
【００８２】
次に、ダビング管理情報管理手段１４は、受信手段１２により抽出されたＡＶデータがダビング１０方式に対応したＡＶデータであるか否かを示す情報を基に、例えば図９（ａ）に示すようなダビング可能回数を含むダビング管理情報を生成する（Ｓ１１０４）。具体的には、ダビング管理情報管理手段１４は、受信手段１２により抽出された情報がダビング１０方式に対応したＡＶデータであることを示している場合は、ダビング可能回数を意味する残回数の値を１０と設定してデジタル放送の記録動作を終了する（Ｓ１１０５）。また、ダビング管理情報管理手段１４は、受信手段１２により抽出された情報がダビング１０方式に対応したＡＶデータでないことを示している場合は、該残回数の値を０に設定して、デジタル放送の記録動作を終了する（Ｓ１１０５）。
【００８３】
以上のようにして、データ記録装置１０１は、デジタル放送の記録動作を行う。
【００８４】
なお、上記では、複数回ダビング対応のＡＶデータとしてダビング１０方式に対応したＡＶデータを例に挙げている。そのため、ダビング管理情報管理手段１４は、ダビングの残回数の値を固定的に１０と設定したが、これに限定されるものではない。例えば、受信手段１２が選局したチャンネルから受信したＡＶデータに付与されている情報として、ダビング可能回数、すなわち、残回数（ダビングの残回数）が設定されている場合には、ダビング管理情報管理手段１４は、該ダビング可能回数をダビング管理情報として設定としても良い。
【００８５】
次に、図１２を用いて、データ記録装置１０１のデータ記録手段１３に記録したデジタル放送のＡＶデータ（コンテンツ）を、蓄積メディアとの間で相互にダビングする場合の動作について説明する。なお、図１２は、本実施の形態におけるデータ記録装置がデータ記録手段に記録したデジタル放送のＡＶデータを、蓄積メディアとの間で相互にダビングする場合の動作を示すフローチャートである。
【００８６】
図１２において、まず、ユーザにより記録されたデジタル放送のＡＶデータをダビングするように指示されると、データ記録装置１０１は、ダビング動作を開始する（Ｓ１２０１）。メディア記録手段１７は、蓄積メディアに記録されているＡＶデータ名およびメディア識別子を読み込み、読み込んだＡＶデータ名およびメディア識別子をダビング管理情報管理手段１４に通知する（Ｓ１２０２）。
【００８７】
次に、入力手段１６は、ユーザからの操作入力情報を受け取ると（Ｓ１２０３）、受け取ったユーザからの操作入力情報を基に、ダビング処理の内容が「蓄積メディアへのダビング処理」および「蓄積メディアからのダビング処理」のいずれであるかを判断する（Ｓ１２０４）。
【００８８】
Ｓ１２０４において、入力手段１６によりダビング処理の内容が「蓄積メディアへのダビング処理」であると判断された場合には、メディア記録手段１７は、「蓄積メディアへのダビング処理」を実行し（Ｓ１２０８）、処理を終了する（Ｓ１２０９）。
【００８９】
反対に、Ｓ１２０４において、入力手段１６によりダビング処理の内容が「蓄積メディアからのダビング処理」であると判断された場合には、ダビング管理情報管理手段１４は、メディア記録手段１７から通知されたＡＶデータ名およびメディア識別子を、保持しているダビング管理情報のＡＶデータ名およびメディア識別子と照合する。そしてダビング管理情報管理手段１４は、ダビング処理対象の蓄積メディアが過去に読み込み済みのメディアであるか否かを判別する（Ｓ１２０５）。
【００９０】
Ｓ１２０５において、ダビング管理情報管理手段１４により、ダビング処理対象の蓄積メディアが過去に読み込み済みの蓄積メディアであると判断した場合（Ｓ１２０５のＹＥＳの場合）には、「蓄積メディアからのダビング処理」を実行し（Ｓ１２０６）、処理を終了する（Ｓ１２０９）。
【００９１】
反対に、Ｓ１２０５において、ダビング管理情報管理手段１４により、ダビング処理対象の蓄積メディアが過去に読み込み済みの蓄積メディアでないと判断した場合（Ｓ１２０５のＮＯの場合）には、表示手段１５は、ユーザに対して「当該蓄積メディアからのダビング処理は不可である」旨の表示を行い（Ｓ１２０７）、処理を終了する（Ｓ１２０９）。これは、過去に読み込み済みの蓄積メディアでない場合、ダビング管理情報管理手段１４が、読み込み済みでない蓄積メディアに蓄積されているＡＶデータに関して過去に一度もダビング管理情報を生成していないことから、ダビング可能回数を管理できないためである。
【００９２】
以上のようにして、データ記録装置１０１はメディア記録手段１７に記録されているＡＶデータを、蓄積メディアとの間で相互にダビング処理を行う。
【００９３】
次に、図１３を用いて、データ記録装置１０１のデータ記録手段１３に記録したデジタル放送コンテンツのＡＶデータを蓄積メディアにダビングまたはＭＯＶＥする場合の、ダビングまたはＭＯＶＥ処理について説明する。なお、図１３は、本実施の形態における蓄積メディアへのダビング処理またはＭＯＶＥ処理の流れを示すフローチャートである。
【００９４】
図１３において、まず、ユーザはデータ記録装置１０１に対してデータ記録手段１３に記録されたデジタル放送コンテンツのＡＶデータを蓄積メディアにダビングまたはＭＯＶＥする指示をする。そうすると、データ記録装置１０１は、ダビング処理またはＭＯＶＥ処理を開始し（Ｓ１３０１）、メディア記録手段１７は、当該蓄積メディアからメディア識別子などのメディアに関する情報を読み込み、読み込んだ情報をメディア判定手段１８に通知する（Ｓ１３０２）。
【００９５】
次に、メディア判定手段１８は、メディア記録手段１７から通知された情報を基に蓄積メディアのメディア種別を判定し、判定したメディア種別をダビング管理情報管理手段１４に通知する（Ｓ１３０３）。
【００９６】
次に、表示手段１５は、ユーザに対して、「蓄積メディアへのダビング処理か、または蓄積メディアへのＭＯＶＥ処理か」の決定を促す画面（ダビング画面）を表示する（Ｓ１３０４）。なお、ここでの蓄積メディアへのＭＯＶＥ処理とは、ダビング可能回数が残っている状態、すなわち、ダビングの残回数の値が１以上でのＭＯＶＥ処理を指す。
【００９７】
次に、入力手段１６は、Ｓ１３０４においてユーザが決定した画面の処理に対応した操作入力情報を受け取ると（Ｓ１３０５）、ユーザからの操作入力情報が、「蓄積メディアへのダビング処理」および「蓄積メディアへのＭＯＶＥ処理」のいずれであるかを判断する（Ｓ１３０６）。
【００９８】
Ｓ１３０６において、ユーザからの操作入力情報が、「蓄積メディアへのダビング処理」であると判断された場合には、「蓄積メディアへのダビング処理」を実行し（Ｓ１３０７）、ユーザからの操作入力情報が、「蓄積メディアへのＭＯＶＥ処理」であると判断された場合には、「蓄積メディアへのＭＯＶＥ処理」を実行する（Ｓ１３０８）。そして、その後、ダビング処理またはＭＯＶＥ処理を終了させる（Ｓ１３０９）。
【００９９】
次に、図１４を用いて、図１３におけるＳ１３０７の「蓄積メディアへのダビング処理」について、すなわち、データ記録装置１０１に記録したデジタル放送コンテンツのＡＶデータを蓄積メディアにダビングする場合のダビング処理について説明する。なお、図１４は、本実施の形態における蓄積メディアへのダビング処理の流れを示すフローチャートである。
【０１００】
図１４において、まず、ユーザは、データ記録装置１０１に対してデータ記録手段１３に記録したデジタル放送コンテンツのＡＶデータを蓄積メディアにダビングする指示を行う。そうすると、データ記録装置１０１はダビング処理を開始し（Ｓ１４０１）、メディア記録手段１７は、データ記録手段１３に記録されているＡＶデータを蓄積メディアに書き込む（１４０２）。
【０１０１】
次に、メディア記録手段１７が、蓄積メディアへのＡＶデータの書き込みを完了すると、ダビング管理情報管理手段１４は、当該ＡＶデータのダビング可能回数の値を１減算する（Ｓ１４０３）。
【０１０２】
そして、当該ＡＶデータのダビング可能回数の値を１減じた後、ダビング管理情報管理手段１４は、残っているダビング可能回数、すなわち、残回数（ダビングの残回数）の値が０（ゼロ）または１以上かを確認し（Ｓ１４０４）、残回数が１以上の場合は、そのままダビング処理を終了させる（Ｓ１４０６）。それに対して、ダビング管理情報管理手段１４により残回数の値が０であると確認された場合は、データ記録手段１３は、残回数が０となったＡＶデータを削除して（Ｓ１４０５）、ダビング処理を終了させる（Ｓ１４０６）。
【０１０３】
以上のようにして、データ記録装置１０１は、蓄積メディアへのダビング処理を行う。
【０１０４】
次に、図１５を用いて、図１３におけるＳ１３０８の「蓄積メディアへのＭＯＶＥ処理」について、すなわち、データ記録装置１０１に記録したデジタル放送コンテンツのＡＶデータを蓄積メディアにＭＯＶＥする場合のＭＯＶＥ処理について説明する。なお、図１５は、本実施の形態における蓄積メディアへのＭＯＶＥ処理の流れを示すフローチャートである。
【０１０５】
図１５において、まず、ユーザは、データ記録装置１０１に対してデータ記録手段１３に記録したデジタル放送コンテンツのＡＶデータを蓄積メディアにＭＯＶＥする指示を行う。そうすると、データ記録装置１０１は、ＭＯＶＥ処理を開始し（Ｓ１５０１）、メディア記録手段１７は、データ記録手段１３に記録されているＡＶデータを、蓄積メディアに書き込む（Ｓ１５０２）。
【０１０６】
次に、メディア記録手段１７が蓄積メディアへのＡＶデータの書き込みを完了すると、データ記録手段１３は、蓄積メディアに書き込んだＡＶデータを削除する（Ｓ１５０３）。次いで、ダビング管理情報管理手段１４は、蓄積メディアに書き込んだＡＶデータに相当するダビング管理情報のメディア種別を、当該ＡＶデータを書き込んだ蓄積メディアのメディア種別に更新する（Ｓ１５０４）。
【０１０７】
Ｓ１５０４において、メディア判定手段１８は、更新されたメディア種別に基づき書き換え型蓄積メディアであるか書き換え不可の追記型蓄積メディアであるかを判定する（Ｓ１５０５）。
【０１０８】
更新されたメディア種別に基づき蓄積メディアが書き換え型蓄積メディアであると判定された場合は、メディア記録手段１７は、ＭＯＶＥ処理を終了させる（Ｓ１５０７）。それに対して、更新されたメディア種別に基づき蓄積メディアが追記型蓄積メディアであると判定された場合には、ダビング管理情報管理手段１４は、該ＡＶデータに該当するダビング管理情報のダビング可能回数、すなわち、残回数（ダビングの残回数）の値を１減算し（Ｓ１５０６）、その後、メディア記録手段１７によるＭＯＶＥ処理を終了させる（Ｓ１５０７）。
【０１０９】
以上のようにして、データ記録装置１０１は、蓄積メディアへのＭＯＶＥ処理を行う。
【０１１０】
次に、図１６を用いて、蓄積メディアからデータ記録手段１３へのダビング処理またはＭＯＶＥ処理について説明する。なお、図１６は、本実施の形態における蓄積メディアからデータ記録手段へのダビング処理またはＭＯＶＥ処理の流れを示すフローチャートである。
【０１１１】
図１６において、まず、ユーザは、蓄積メディアに記録されているＡＶデータのダビング処理またはＭＯＶＥ指示を行うと、データ記録装置１０１はダビング処理またはＭＯＶＥ処理を開始する（Ｓ１６０１）。メディア記録手段１７は、蓄積メディアからメディア情報を読み込み、読み込んだメディア情報をメディア判定手段１８に通知する（Ｓ１６０２）。
【０１１２】
次に、メディア判定手段１８は、メディア記録手段１７から通知されたメディア情報を基に蓄積メディアのメディア種別を判定し、判定したメディア種別をダビング管理情報管理手段１４に通知する（Ｓ１６０３）。
【０１１３】
次に、表示手段１５は、ユーザに対して、「蓄積メディアからのダビング処理か、または蓄積メディアからのＭＯＶＥ処理か」の決定を促す画面を表示する（Ｓ１６０４）。なお、ここでいう蓄積メディアからのＭＯＶＥ処理とは、ダビング１０方式におけるダビング１０回目のＭＯＶＥ処理ではなく、ダビング可能回数が残っている状態、すなわち、ダビングの残回数の値が１以上の状態でのＭＯＶＥ処理を指す。
【０１１４】
次に、入力手段１６は、表示手段１５に表示され、ユーザにより決定された画面の処理すなわち「ダビング処理またはＭＯＶＥ処理」の決定を促す画面に対応するユーザの指示入力情報を受け取る（Ｓ１６０５）。そして、入力手段１６は、受け入れたユーザからの指示入力情報が、「蓄積メディアからのダビング処理か」または「蓄積メディアからのＭＯＶＥ処理か」を判断する（Ｓ１６０６）。
【０１１５】
Ｓ１６０６において、ユーザからの指示入力情報が「蓄積メディアからのダビング処理」であると判断された場合には、蓄積メディアからのダビング処理を実行し（Ｓ１６０７）、その後、処理を終了する（Ｓ１６１１）。それに対して、Ｓ１６０６において、ユーザからの指示入力情報が「蓄積メディアからのＭＯＶＥ処理」であると判断された場合には、メディア判定手段１８は、ＭＯＶＥ元である蓄積メディアが、書き換え不可の追記型メディアであるか、書き換え型メディアであるかを判断する（Ｓ１６０８）。
【０１１６】
Ｓ１６０８において、ＭＯＶＥ元である蓄積メディアが追記型蓄積メディアであると判断された場合は、ＭＯＶＥ元である蓄積メディアに記録されているＡＶデータの削除ができない。そのため、表示手段１５は、ユーザに対して、ＭＯＶＥができない旨を知らせる画面表示を行い（Ｓ１６０９）、処理を終了する（Ｓ１６１１）。
【０１１７】
反対に、Ｓ１６０８において、ＭＯＶＥ元である蓄積メディアが書き換え型蓄積メディアであると判断された場合は、蓄積メディアからのＭＯＶＥ処理を実行し（Ｓ１６１０）、その後、処理を終了する（Ｓ１６１１）。
【０１１８】
以上のようにして、データ記録装置１０１は、蓄積メディアからメディア記録手段１７へのダビング処理またはＭＯＶＥ処理を行う。
【０１１９】
次に、図１７を用いて、蓄積メディアから他の蓄積メディアへのダビング処理について説明する。なお、図１７は、本実施の形態における蓄積メディアから他の蓄積メディアへのダビング処理の流れを示すフローチャートである。
【０１２０】
図１７において、まず、ユーザは、蓄積メディアに記録されているＡＶデータのダビング指示を行うと、データ記録装置１０１はダビング処理を開始する（Ｓ１７０１）。
【０１２１】
次に、メディア記録手段１７は、ダビング元であるＡＶデータを保持している蓄積メディアから、新たにメディア記録手段１７に挿入されたダビング先となる他の蓄積メディアに対して、当該ＡＶデータをコピーする（Ｓ１７０２）。なお、コピーの作成方法としては、コピーの対象となっているＡＶデータを一時的にデータ記録手段１３に蓄積した後に、ダビング先の蓄積メディアにコピーするような方法がある。しかしながら、コピーの作成方法はこれに限定されるものではなく、例えば、データ記録装置１０１に２個の蓄積メディアを同時に挿入し、この２個の蓄積メディア間で直接コピーするような方法であっても良い。
【０１２２】
次に、ダビング先となる他の蓄積メディアに対して当該ＡＶデータのコピーが終了すると、ダビング管理情報管理手段１４は、当該ＡＶデータに該当するダビング管理情報における残回数（ダビングの残回数）の値を１減算し（Ｓ１７０３）、１減算した後のダビングの残回数が０（ゼロ）であるか１以上であるかを判断する（Ｓ１７０４）。
【０１２３】
Ｓ１７０４において、ダビング管理情報管理手段１４は、ダビングの回数の値が１以上の場合はダビング処理を終了させる（１７０７）。それに対して、ダビングの残回数の値が０の場合は、メディア判定手段１８は、ダビング元の蓄積メディアのメディア種別が、追記型蓄積メディアであるか書き換え型蓄積メディアであるかを判断する（Ｓ１７０５）。
【０１２４】
Ｓ１７０５において、メディア判定手段１８によりダビング元の蓄積メディアが追記型蓄積メディアであると判断された場合は、メディア記録手段１７は、ダビング処理を終了する（Ｓ１７０７）。それに対して、ダビング元となる蓄積メディアが書き換え型蓄積メディアであると判断された場合には、メディア記録手段１７は、当該ＡＶデータをダビング元の蓄積メディアから削除した後（Ｓ１７０６）、ダビング処理を終了する（Ｓ１７０７）。
【０１２５】
以上のようにして、データ記録装置１０１は、蓄積メディアから他の蓄積メディアへのダビング処理を行う。
【０１２６】
次に、図１８を用いて、蓄積メディアから他の蓄積メディアへのＭＯＶＥ処理について説明する。なお、図１８は、本実施の形態における蓄積メディアから他の蓄積メディアへのＭＯＶＥ処理の流れを示すフローチャートである。
【０１２７】
図１８において、まず、ユーザは、外部の蓄積メディアに記録されているＡＶデータのＭＯＶＥ指示を行うと、データ記録装置１０１はＭＯＶＥ処理を開始する（Ｓ１８０１）。メディア記録手段１７は、ＭＯＶＥ元であるＡＶデータを保持している蓄積メディアから、新たにメディア記録手段１７に挿入されたＭＯＶＥ先となる他の蓄積メディアに対して当該ＡＶデータをコピーする（Ｓ１８０２）。そして、コピー完了後、メディア記録手段１７は、当該ＡＶデータをＭＯＶＥ元の蓄積メディアから削除する（Ｓ１８０３）。
【０１２８】
次に、ＭＯＶＥ元の蓄積メディアから当該ＡＶデータが削除されると、ダビング管理情報管理手段１４は、当該ＡＶデータに該当するダビング管理情報のメディア種別を、ＭＯＶＥ元の蓄積メディアのメディア種別からＭＯＶＥ先の蓄積メディアのメディア種別に更新する（Ｓ１８０４）。そして、ダビング管理情報管理手段１４は、更新後のメディア種別が追記型蓄積メディアであるか、書き換え型蓄積メディアであるかを判断する（Ｓ１８０５）。
【０１２９】
Ｓ１８０５において、ダビング管理情報管理手段１４は、更新後のメディア種別が書き換え型蓄積メディアであると判断した場合は、ＭＯＶＥ処理を終了させる（Ｓ１８０７）。それに対して、更新後のメディア種別が追記型蓄積メディアであると判断した場合には、ダビング管理情報管理手段１４は、当該ＡＶデータに該当するダビング管理情報のダビングの残回数の値を１減算し（Ｓ１８０６）、その後、ＭＯＶＥ処理を終了させる（Ｓ１８０７）。
【０１３０】
以上のようにして、データ記録装置１０１は、蓄積メディアから他の蓄積メディアへのＭＯＶＥ処理を行う。
【０１３１】
以上のように、本実施の形態に係るデータ記録装置は、蓄積メディアが書き換え可能な書き換え型蓄積メディアであるか、書き換え不可の追記型蓄積メディアであるかを問わず、蓄積メディアの種別に応じて複数回ダビング対応のＡＶデータのダビング可能回数に関する情報を管理することが可能である。
【０１３２】
具体的には、本実施の形態に係るデータ記録装置１０１では、メディア判定手段１８により蓄積メディアが書き換え不可型なのか書き換え可能型なのかを判別し、それに応じてダビング管理情報管理手段１４が残りのダビング可能回数を管理する。そして、表示手段１５により蓄積メディアの違いに対応した残りのダビング可能回数を表示する。それにより、ユーザは、蓄積メディアの違いを意識することなく、残りのダビング可能回数、すなわち、コピー残回数を正確に把握することが可能となる。
【０１３３】
以上のように、本発明によれば、蓄積メディアの種別に応じたＡＶデータのダビング可能回数に関する情報の管理を可能にするデータ記録装置を実現することができる。
【０１３４】
なお、本実施の形態においては、データ記録装置１０１におけるデータ記録手段１３とメディア記録手段１７に接続または挿入される蓄積メディアとの間でＡＶデータをダビングまたはＭＯＶＥする場合を例に挙げて説明したが、それに限らない。
【０１３５】
データ記録装置１０１は、例えば、蓄積メディアではなくＤＶＤ−ＲＡＭドライブ装置、ＤＶＤ−Ｒドライブ装置およびＨＤＤドライブ装置などの他のデータ記録装置とネットワークで互いに接続されているとしてもよい。その場合、データ記録装置１０１は、データ記録手段１３に記録されているＡＶデータを、ネットワークを経由して他のデータ記録装置に送信、または、他のデータ記録装置に記録されているＡＶデータを受信可能なように構成するなどしてもよい。
【０１３６】
このように構成することにより、データ記録装置１０１に接続あるいは挿入される蓄積メディアだけではなく、ネットワークで接続される他のデータ記録装置との間でも相互にＡＶデータのダビングが可能になる。ただし、この場合、データ記録装置１０１は、ネットワークを介して他のデータ記録装置との間でＡＶデータおよび関連情報を送受信できるデータ送受信手段を備えることが必要となる。
【０１３７】
また、本実施の形態においては、データ記録装置１０１に記録するＡＶデータとしてデジタル放送コンテンツのＡＶデータを例に挙げて説明したが、これに限るものではない。例えば、インターネットを介して配信される複数回ダビング対応の著作権保護方式に対応したデジタルコンテンツのＡＶデータであってもかまわない。
【０１３８】
また、本実施の形態においては、著作権保護方式における利用制限内容としてダビング回数（コピー回数）を例に挙げて説明したが、これに限るものではない。例えば、再生可能回数や再生可能時間などの利用制限内容であったとしても、本発明は同様の効果を発揮することは明らかである。
【０１３９】
また、本発明は、上述した各手段を備えるデータ記録装置として提供することができるばかりでなく、データ記録装置が具備する各手段を備えるデータ記録集積回路や、データ記録装置が具備する各手段を各ステップとするデータ記録方法、および、そのデータ記録方法をコンピュータに実行させるデータ記録プログラムを提供することも可能である。そして、このデータ記録プログラムは、ＣＤ−ＲＯＭ（Ｃｏｍｐａｃｔ  Ｄｉｓｃ−Ｒｅａｄ  Ｏｎｌｙ  Ｍｅｍｏｙ）などの記録媒体やインターネットを介して流通させることができる。
【０１４０】
以上、本発明に係るデータ記録装置について、実施の形態に基づいて説明したが、本発明は、この実施の形態に限定されるものではない。本発明の趣旨を逸脱しない限り、当業者が思いつく各種変形を本発明の実施の形態に施したものや、異なる実施の形態における構成要素を組み合わせて構築される形態も、本発明の範囲内に含まれる。
【産業上の利用可能性】
【０１４１】
本発明は、データ記録装置、データ記録方法およびプログラムに利用でき、特に、地上デジタル放送やインターネットからＡＶデータを受信し、記録するデータ記録装置および例えばダビング１０方式など複数回のダビングが許可される著作権保護方式に対応したＡＶデータを扱うデータ記録装置、データ記録方法およびプログラムに利用することができる。
【符号の説明】
【０１４２】
１１  制御手段
１２  受信手段
１３  データ記録手段
１４  ダビング管理情報管理手段
１５  表示手段
１６  入力手段
１７  メディア記録手段
１８  メディア判定手段
１０１  データ記録装置
１１１、１１２、１１３、１１４、１１５、１１６、１１７、１１８、１１９、１２０  蓄積メディア
２０１  書き換え型蓄積メディア
２１１、２１２、２１３、２１４、２１５、２１６、２１７、２１８、２１９、２２０  蓄積メディア
３０１  追記型蓄積メディア
３１１、３１２、３１３、３１４、３１５、３１６、３１７、３１８、３１９、３２０  蓄積メディア
４０１、６０１、８０１  画面
４０２、５０２、６０２、７０２、８０２  ＡＶデータ一覧
４０３  操作指示表示領域
４０４  ＯＫボタン
４０５  ＣＡＮＣＥＬボタン
【図１】
2010001566.tif 000003
【図２】
2010001566.tif 000004
【図３】
2010001566.tif 000005
【図４】
2010001566.tif 000006
【図５】
2010001566.tif 000007
【図６】
2010001566.tif 000008
【図７】
2010001566.tif 000009
【図８】
2010001566.tif 000010
【図９】
2010001566.tif 000011
【図１０Ａ】
2010001566.tif 000012
【図１０Ｂ】
2010001566.tif 000013
【図１１】
2010001566.tif 000014
【図１２】
2010001566.tif 000015
【図１３】
2010001566.tif 000016
【図１４】
2010001566.tif 000017
【図１５】
2010001566.tif 000018
【図１６】
2010001566.tif 000019
【図１７】
2010001566.tif 000020
【図１８】
2010001566.tif 000021
【手続補正書】
【提出日】平成21年11月19日(2009.11.19)
【手続補正１】
【補正対象書類名】明細書
【補正対象項目名】全文
【補正方法】変更
【補正の内容】
【発明の詳細な説明】
【技術分野】
【０００１】
本発明は、データ記録装置、データ記録方法およびプログラムに関し、特に、複数回ダビング可能な著作権保護方式に対応したデジタルコンテンツをダビングするための技術に関する。
【背景技術】
【０００２】
近年、デジタル放送対応の録画機器（以下、データ記録装置と称す）の普及に伴い、家庭内に大量のデジタルコンテンツ（以下、ＡＶ（Ａｕｄｉｏ  ａｎｄ  Ｖｉｓｕａｌ）データと称す）が蓄積されるようになってきている。
【０００３】
また、録画したＡＶデータを、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｃ）およびＳＤメモリカード（Ｓｅｃｕｒｅ  Ｄｉｇｉｔａｌ  Ｍｅｍｏｒｙ  Ｃａｒｄ）等の可搬かつＡＶデータが蓄積可能な容量を有する蓄積メディアに移動（ＭＯＶＥ）させ、他のデジタル家電機器、ＰＣ（Ｐｅｒｓｏｎａｌ  Ｃｏｍｐｕｔｅｒ）および携帯機器等で楽しむといった視聴スタイルも定着しつつある。
【０００４】
ここで、ＭＯＶＥとは、蓄積メディアにＡＶデータのコピーを作成した後、例えばＨＤＤ（Ｈａｒｄ  Ｄｉｓｋ  Ｄｒｉｖｅ）等に記録されているオリジナルのＡＶデータを削除するＡＶデータの複製方法である。
【０００５】
そういった中、２００８年６月から、地上デジタル放送において、ダビング１０方式の運用が開始されている。ダビング１０方式とは、ＡＶデータのコピーを１度しか作成できない従来の著作権保護方式の一方式であるコピーワンス方式の運用を緩和するものであり、ＡＶデータの９回のコピーおよび１回のＭＯＶＥが可能となる方式である。
【０００６】
こういった複数回のダビングが可能な著作権保護方式に対応（以下、複数回ダビング対応と称す）したＡＶデータの運用開始により、ユーザは、これまで以上に、様々なデジタル家電機器を利用してＡＶデータの視聴を楽しめるようになる。
【０００７】
ダビング１０方式のような複数回ダビング対応の著作権保護方式では、データ記録装置に記録した複数回ダビング対応のＡＶデータを、ダビングが可能な回数（以下、ダビング可能回数と称す）が残った状態（例えば、ダビング１０方式においては、多くても８回しかダビングをしていない状態）で蓄積メディアにＭＯＶＥする場合、ユーザは、蓄積メディアにＭＯＶＥしたＡＶデータを他のデータ記録装置や他の蓄積メディアに対して、残りのダビング可能回数分のダビングを実行することができる。
【０００８】
特許文献１には、蓄積メディアに記録したＡＶデータのダビング可能回数を管理する従来の技術が開示されている。
【０００９】
この特許文献１に開示されている従来技術では、蓄積メディアにＡＶデータをダビングとしてコピーする際には、ＡＶデータと共にコピーに関する管理情報を蓄積メディアに書き込み、さらに、蓄積メディアに記録されているＡＶデータを他の機器や蓄積メディアにダビングとしてコピーする際には、ＡＶデータをコピーする際に書き込んだコピーに関する管理情報を更新することにより、ダビング可能回数の管理を可能にしている。
【先行技術文献】
【特許文献】
【００１０】
【特許文献１】特開２００２−３６７２９２号公報
【発明の概要】
【発明が解決しようとする課題】
【００１１】
しかしながら、上記特許文献１に開示されているような従来技術では、ＡＶデータと共に蓄積メディアに書き込んだコピーに関する管理情報、すなわち、ダビング可能回数に関する管理情報を更新する必要がある。そのため、ＤＶＤ−Ｒ（Ｄｉｇｉｔａｌ  Ｖｅｒｓａｔｉｌｅ  Ｄｉｓｋ  Ｒｅｃｏｒｄａｂｌｅ）のような１度しか書き込みができない蓄積メディアや、ダビング可能回数などのコピー（ダビング）に関する管理情報を書き込むことが不可能な蓄積メディアの場合、ダビング可能回数に関する情報の管理ができなくなるという課題がある。
【００１２】
また、ＤＶＤ−Ｒのような書き換え不可型の蓄積メディアにＭＯＶＥした場合、ＤＶＤ−ＲＡＭ(Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ)のような書き換え可能型の蓄積メディアとは異なり、ＡＶデータの最後のＭＯＶＥができなくなる。しかし、上記特許文献１に開示されているような従来技術では複数回ダビング対応のＡＶデータにおいては、書き込む蓄積メディアが書き換え不可型か、書き換え可能型かを考慮したダビング可能回数の管理ができないという課題がある。
【００１３】
本発明は、上記課題を解決するためになされたものであり、蓄積メディアの種別に応じたＡＶデータのダビング可能回数に関する情報の管理を可能にするデータ記録装置を提供することを目的とする。
【課題を解決するための手段】
【００１４】
上記目的を達成するために、本発明に係るデータ記録装置は、複数回のダビングが許可される著作権保護方式に対応したＡＶデータを記録して保持する記録保持手段と、可搬で、かつ、ＡＶデータが蓄積可能な容量を有する少なくとも１つの蓄積メディアと前記記録保持手段との間若しくは前記蓄積メディアと、当該蓄積メディアと異なる蓄積メディアとの間でＡＶデータのダビングまたは移動を実行するメディア記録手段と、前記ＡＶデータに対して前記著作権保護方式に準拠して付与されたダビング可能回数を含むダビング管理情報の管理を行うダビング管理手段と、前記メディア記録手段が当該ＡＶデータのダビングまたは移動を実行する対象である蓄積メディアのメディア種別に基づいて、当該蓄積メディアが書き換え可能であるかまたは書き換え不可であるかの判定を行うメディア判定手段とを備え、前記ダビング管理手段は、前記メディア記録手段が前記記録保持手段から当該蓄積メディアに対して前記ＡＶデータの移動を実行する際、前記判定結果に応じて異なる更新を前記ＡＶデータに対応する前記ダビング管理情報に行う。
【００１５】
この構成によれば、蓄積メディアの種別に応じたＡＶデータのダビング可能回数に関する情報の管理を可能にするデータ記録装置を実現することができる。
【００１６】
具体的には、メディア判定手段により蓄積メディアが書き換え不可なのか書き換え可能なのかを判定し、ダビング管理手段が残りのダビング可能回数をその判定結果に応じて更新する。それにより、ユーザは、蓄積メディアの違いを意識することなく、残りのダビング可能回数、すなわち、コピー残回数を正確に把握することが可能となる。
【００１７】
また、前記ダビング管理手段は、前記メディア記録手段により前記蓄積メディアのメディア種別に基づいて前記蓄積メディアが書き換え不可であるという判定が行われた場合、前記メディア記録手段による当該移動の実行とともに、前記ＡＶデータに対応する前記ダビング可能回数の値を減算することにより前記判定結果に応じて異なる更新を前記ダビング管理情報に行ってもよい。
【００１８】
また、前記ダビング管理手段は、前記判定結果に基づいて前記ダビング可能回数の値を１減算するとしてもよい。
【００１９】
また、前記ダビング管理手段は、前記メディア記録手段により前記蓄積メディアのメディア種別に基づいて前記蓄積メディアが書き換え可能であるという判定が行われた場合、前記メディア記録手段による当該移動の実行とともに、前記ＡＶデータに対応する前記ダビング可能回数の値を維持することにより前記判定結果に応じて異なる更新を前記ダビング管理情報に行うとしてもよい。
【００２０】
また、上記目的を達成するために、本発明に係るデータ記録方法は、データ記録装置のデータ記録方法であって、複数回のダビングが許可される著作権保護方式に対応したＡＶデータを前記データ記録装置が備える記録媒体に記録して保持する記録保持ステップと、可搬で、かつ、ＡＶデータが蓄積可能な容量を有する少なくとも１つの蓄積メディアと前記記録媒体との間若しくは前記蓄積メディアと、当該蓄積メディアと異なる蓄積メディアとの間でＡＶデータのダビングまたは移動を実行するメディア記録ステップと、前記ＡＶデータに対して前記著作権保護方式に準拠して付与されたダビング可能回数を含むダビング管理情報の管理を行うダビング管理ステップと、前記メディア記録ステップにおいて当該ＡＶデータのダビングまたは移動を実行する対象である蓄積メディアのメディア種別に基づいて、当該蓄積メディアが書き換え可能であるかまたは書き換え不可であるかの判定を行うメディア判定ステップとを含み、前記ダビング管理ステップにおいて、前記メディア記録ステップで前記記録保持手段から当該蓄積メディアに対して前記ＡＶデータの移動が実行される際、前記判定結果に応じて異なる更新を前記ＡＶデータに対応する前記ダビング管理情報に行う。
【００２１】
なお、本発明は、装置として実現したりその装置を構成する処理手段をステップとする方法として実現したりするだけでなく、それらステップをコンピュータに実行させるプログラムとして実現したり、そのプログラムを示す情報、データまたは信号として実現したりすることもできる。そして、それらプログラム、情報、データおよび信号は、ＣＤ−ＲＯＭ等の記録媒体やインターネット等の通信媒体を介して配信してもよい。
【発明の効果】
【００２２】
本発明によれば、蓄積メディアの種別に応じたＡＶデータのダビング可能回数に関する情報の管理を可能にするデータ記録装置を実現することができる。
【００２３】
具体的には、１度しか書き込みができない書き換え不可型の蓄積メディアおよび書き込んだダビング可能回数などのダビング管理情報を更新することが不可能な蓄積メディアにおいても、複数回ダビング対応のＡＶデータに対するダビング可能回数などのダビング管理情報の管理ができる。
【図面の簡単な説明】
【００２４】
【図１】図１は、本発明の実施の形態に係るデータ記録装置の構成を示すブロック図である。
【図２】図２は、本発明の実施の形態に係るデータ記録装置がダビング１０方式の運用規定に従って、蓄積メディアにＡＶデータをダビングする様子を示した図である。
【図３】図３は、本発明の実施の形態に係るデータ記録装置において書き換え型蓄積メディアにＭＯＶＥした場合の動作の概要を示す図である。
【図４】図４は、本発明の実施の形態に係るデータ記録装置において、追記型蓄積メディアにＭＯＶＥした場合の動作の概要を説明する図である。
【図５】図５は、本発明の実施の形態に係るデータ記録装置のＨＤＤ内に蓄積されているダビング１０方式対応のＡＶデータを、蓄積メディアにダビングまたはＭＯＶＥする際の操作イメージの一例を示す図である。
【図６】図６は、ＡＶデータ名「映画」のＡＶデータを、本発明の実施の形態に係るデータ記録装置内のＨＤＤから書き換え型蓄積メディアであるＤＶＤ−ＲＡＭにＭＯＶＥした後の、データ記録装置内のＨＤＤに蓄積されているＡＶデータの内容を表示した図である。
【図７】図７は、ＡＶデータ名「映画」のＡＶデータを、本発明の実施の形態に係るデータ記録装置内のＨＤＤからＤＶＤ−ＲＡＭにＭＯＶＥした後の、ＤＶＤ−ＲＡＭのＡＶデータの内容を表示した図である。
【図８】図８は、ＡＶデータ名「サッカー」のＡＶデータを、追記型蓄積メディアであるＤＶＤ−ＲにＭＯＶＥした後の、本発明の実施の形態に係るデータ記録装置内のＨＤＤのＡＶデータの内容を表示した図である。
【図９】図９は、ＡＶデータ名「サッカー」のＡＶデータを、本発明の実施の形態に係るデータ記録装置内のＨＤＤからＤＶＤ−ＲにＭＯＶＥした後の、ＤＶＤ−ＲのＡＶデータの内容を表示した図である。
【図１０Ａ】図１０Ａは、本発明の実施の形態に係るデータ記録装置が管理するダビング管理情報を概念的に示す図である。
【図１０Ｂ】図１０Ｂは、本発明の実施の形態に係るデータ記録装置が管理するダビング管理情報を概念的に示す図である。
【図１１】図１１は、本発明の実施の形態に係るデータ記録装置のデジタル放送の記録動作を示すフローチャートである。
【図１２】図１２は、本発明の実施の形態に係るデータ記録装置が、データ記録手段に記録したＡＶデータを蓄積メディアとの間で相互にダビングする場合の動作を示すフローチャートである。
【図１３】図１３は、本発明の実施の形態における蓄積メディアへのダビングまたはＭＯＶＥ処理の流れを示すフローチャートである。
【図１４】図１４は、本発明の実施の形態における蓄積メディアへのダビング処理の流れを示すフローチャートである。
【図１５】図１５は、本発明の実施の形態における蓄積メディアへのＭＯＶＥ処理の流れを示すフローチャートである。
【図１６】図１６は、本発明の実施の形態における蓄積メディアからデータ記録手段へのダビングまたはＭＯＶＥ処理の流れを示すフローチャートである。
【図１７】図１７は、本発明の実施の形態における蓄積メディアから他の蓄積メディアへのダビング処理の流れを示すフローチャートである。
【図１８】図１８は、本発明の実施の形態における蓄積メディアから他の蓄積メディアへのＭＯＶＥ処理の流れを示すフローチャートである。
【発明を実施するための形態】
【００２５】
以下に、本発明を実施するための最良の形態について、図面を参照しながら説明する。
【００２６】
（実施の形態）
本実施の形態においては、複数回ダビング対応のＡＶデータとして地上デジタル放送におけるダビング１０方式に対応したＡＶデータを例に挙げて説明する。
【００２７】
まず、本実施の形態におけるデータ記録装置１０１の構成について説明する。図１は、本実施の形態に係るデータ記録装置の構成を示すブロック図である。
【００２８】
図１において、データ記録装置１０１は、制御手段１１、受信手段１２、データ記録手段１３、ダビング管理情報管理手段１４、表示手段１５、入力手段１６、メディア記録手段１７およびメディア判定手段１８で構成されている。
【００２９】
制御手段１１は、データ記録装置１０１内の各ブロック（各手段）の動作を制御する。
【００３０】
受信手段１２は、チューナ機能を有しており、デジタル放送を受信し選局する。受信手段１２は、選局したデジタル放送の映像／音声データを復号して出力する。また、受信手段１２は、デジタル放送に含まれるＳＩ／ＰＳＩ（Ｓｅｒｖｉｃｅ  Ｉｎｆｏｒｍａｔｉｏｎ／Ｐｒｏｇｒａｍ  Ｓｐｅｃｉｆｉｃ  Ｉｎｆｏｒｍａｔｉｏｎ）情報から、複数回コピーが可能か否かの情報、すなわち、ダビング１０方式に対応したＡＶデータ（複数回ダビング対応のＡＶデータ）であるか否かを示す情報を抽出する。
【００３１】
データ記録手段１３は、例えば、ＨＤＤまたはフラッシュメモリ等で構成され、受信手段１２が出力した映像／音声データであるＡＶデータを記録する。ここで、データ記録手段１３は、本発明に係る記録保持手段に相当する。
【００３２】
ダビング管理情報管理手段１４は、ＡＶデータのダビング管理情報を生成／管理する。すなわち、ダビング管理情報管理手段１４は、ダビング１０方式に準拠してデータ記録手段１３に記録されているＡＶデータに付与されたダビング可能回数を含むダビング管理情報の管理を行う。また、ダビング管理情報管理手段１４は、データ記録手段１３に記録されているＡＶデータに関するダビング管理情報だけではなく、データ記録手段１３から蓄積メディアにコピーまたはＭＯＶＥした後のすべてのＡＶデータのダビング管理情報を管理する。
【００３３】
例えば、ダビング管理情報管理手段１４は、メディア記録手段１７がデータ記録手段１３から蓄積メディアに対してＡＶデータのＭＯＶＥを実行する際、蓄積メディアが書き換え可能か否かに従って、例えばダビング可能回数などのＡＶデータに関するダビング管理情報を更新するという管理を行う。
【００３４】
表示手段１５は、例えば、ＣＲＴ（Ｃａｔｈｏｄｅ  Ｒａｙ  Ｔｕｂｅ）またはＬＣＤ（Ｌｉｑｕｉｄ  Ｃｒｙｓｔａｌ  Ｍｏｎｉｔｏｒ）等のディスプレイであり、ＡＶデータの再生表示やＡＶデータ一覧画面などの表示を行う。なお、表示手段１５は、再生されるＡＶデータまたはＡＶデータ一覧画面を再生ＣＲＴまたはＬＣＤ等の表示用のディスプレイに表示させるとしてもよい。その場合、データ記録装置１０１または表示手段１５が別途表示用のディスプレイを具備するように構成しても良いし、データ記録装置１０１の外に別途表示用のディスプレイを配置するように構成してもよい。
【００３５】
入力手段１６は、ユーザからの操作入力情報を受信する。入力手段１６は、例えば、データ記録装置１０１が具備する操作キーまたはリモートコントローラのような形態で構成され、ユーザからの操作入力情報を受信する。
【００３６】
メディア記録手段１７は、蓄積メディアに記録されているＡＶデータの読み込みおよび蓄積メディアへのＡＶデータの書き込みを行う。また、メディア記録手段１７は、さらに、蓄積メディアから例えばメディア識別子などメディアに関する情報（以下、メディア情報と記載）を読み込み、それをダビング管理情報管理手段１４に通知する。ここで、メディア識別子は、個々の蓄積メディアに付与されており、個々の蓄積メディアを一意に識別することが可能な識別子である。
【００３７】
また、メディア記録手段１７は、蓄積メディアとデータ記録手段１３との間若しくは異なる蓄積メディア間でＡＶデータのダビングまたはＭＯＶＥを実行する。
【００３８】
なお、メディア記録手段１７が読み込むまたは書き込む対象である蓄積メディアとして、ＤＶＤ−Ｒ、ＤＶＤ−ＲＡＭ、ＢＤ−Ｒ、ＢＤ−ＲＥ（ＢＤ（Ｂｌｕ−ｒａｙ  Ｄｉｓｃ(登録商標)））などのディスクメディアを例に挙げて以下説明するがこれに限定されるものではない。例えば、ＳＤカードのようなＦｌａｓｈ  Ｍｅｍｏｒｙ型の蓄積メディアまたは書き込み可能な半導体メモリなどを読み込むとしてもよい。
【００３９】
メディア判定手段１８は、メディア記録手段１７がダビングまたはＭＯＶＥを実行する対象であるＡＶデータが蓄積された蓄積メディアのメディア種別を判定し、判定したメディア種別をダビング管理情報管理手段１４に通知する。ここで、メディア種別は、ＡＶデータ（コンテンツ）を蓄積する蓄積メディアの物理的な種別を表すものであり、例えば、ＨＤＤ、ＤＶＤ−Ｒ、ＤＶＤ−ＲＡＭ、ＢＤ−ＲおよびＢＤ−ＲＥ等がこれに該当する。したがって、このメディア種別により、蓄積メディアが書き換え型蓄積メディアか、追記型蓄積メディアかを判別することができる。
【００４０】
なお、メディア判定手段１８は、データ記録手段１３がＡＶデータのダビングまたはＭＯＶＥを実行する対象である蓄積メディアのメディア種別を判定し、その判定に基づいて、その蓄積メディアが書き換え可能であるかまたは書き換え不可であるかの判別を行うとしてもよい。また、メディア判定手段１８は、蓄積メディアのメディア種別の判定を行い、判定したメディア種別をダビング管理情報管理手段１４に通知し、その蓄積メディアが書き換え可能であるかまたは書き換え不可であるかの判別は、ダビング管理情報管理手段１４が行うとしてもよい。
【００４１】
以上のように、データ記録装置１０１は、構成される。この構成により、データ記録装置１０１は、蓄積メディアが書き換え可能な書き換え型蓄積メディアであるか、書き換え不可の追記型蓄積メディアであるかを問わず、蓄積メディアの種別に応じて複数回ダビング対応のＡＶデータのダビング可能回数に関する情報を管理することができる。
【００４２】
以下、本実施の形態における複数回ダビング対応のＡＶデータのダビング可能回数に関する情報の管理について例を挙げて説明する。
【００４３】
まず、図２を用いて、地上デジタル放送におけるダビング１０方式の概要に関して説明する。なお、図２は、本発明の実施の形態に係るデータ記録装置がダビング１０方式の運用規定に従って、蓄積メディアにＡＶデータをダビングする様子を示した図である。図２では、地上デジタル放送から取得したダビング１０方式に対応したＡＶデータを録画した本実施の形態に係るデータ記録装置が、ダビング１０方式の運用規定に従って、蓄積メディアにＡＶデータをダビングする様子を示している。また、ダビング１０方式の詳細に関しては、総務省や社団法人デジタル放送推進協会において情報が公開されているので、ここでは説明を省略する。
【００４４】
図２において、データ記録装置１０１は、データ記録装置１０１が具備するデータ記録手段１３に記録媒体であるＨＤＤを内蔵しており、受信手段１２により地上デジタル放送を受信して得たＡＶデータを内蔵するそのＨＤＤに記録しているとする。ダビング１０方式の運用規定では、データ記録装置１０１に記録したＡＶデータのコピーの作成が９回（９個の蓄積メディア１１１〜１１９を作成）まで可能であり、さらに、９回のコピーの作成後、データ記録装置１０１内のＨＤＤに記録されたＡＶデータを蓄積メディア１２０にＭＯＶＥ（１回だけＭＯＶＥ可能）することが可能である。すなわち、ダビング１０は、ダビング９回目までに相当する９回のコピーとダビング１０回目に相当するＭＯＶＥとが規格上許される。それにより、地上デジタル放送からデータ記録装置１０１のＨＤＤに記録したＡＶデータをコピーして記録した蓄積メディアが最大１０個まで作成可能となる。
【００４５】
ここで、上述したが、ＭＯＶＥとは、蓄積メディアにＡＶデータのコピーを作成した後、データ記録装置１０１内のＨＤＤに記録されているオリジナルのＡＶデータを削除するＡＶデータの複製方法である。
【００４６】
なお、地上デジタル放送からデータ記録装置１０１のＨＤＤに記録したＡＶデータのコピー先またはＭＯＶＥ先は、図２に示すようなディスクメディアなどに表される蓄積メディアに限定されるものではない。例えば、ネットワークなどでデータ記録装置１０１と相互に接続された例えばＨＤＤ内蔵の他のデータ記録装置または携帯機器等を蓄積メディアとして取り扱っても良い。
【００４７】
また、図２に示す蓄積メディア１１１〜１２０は、書き換え可能な蓄積メディア（以下、書き換え型蓄積メディアと称す）および書き換えが不可能な蓄積メディア（以下、追記型蓄積メディアと称す）のいずれかの蓄積メディアである。
【００４８】
次に、図３を用いて、データ記録装置１０１に一旦記録したダビング１０方式に対応したＡＶデータを、書き換え型蓄積メディア２０１にＭＯＶＥした場合の動作の概要について説明する。なお、図３は、データ記録装置に記録したダビング１０方式対応のＡＶデータを、書き換え型蓄積メディアにＭＯＶＥした場合の動作の概要を示す図である。
【００４９】
図３において、データ記録装置１０１に記録されたダビング１０方式対応のＡＶデータを、書き換え型蓄積メディア２０１にＭＯＶＥした場合、残っているダビング可能回数は引き継がれる。そのため、データ記録装置１０１から書き換え型蓄積メディア２０１に引き継がれるダビング可能回数は１０回である。
【００５０】
したがって、ＭＯＶＥ後の書き換え型蓄積メディア２０１は、別の蓄積メディアへ９回のコピー（蓄積メディア２１１〜２１９へのコピーの作成）が可能である。また、データ記録装置１０１からのＭＯＶＥ先である蓄積メディアは、図３に示す例のように、書き換え型蓄積メディア２０１であり、書き換え型蓄積メディア２０１からのＡＶデータの削除が可能であるので、書き換え型蓄積メディア２０１から蓄積メディア２２０へのＭＯＶＥ（１０回目のダビング）が可能である。
【００５１】
次に、図４を用いて、データ記録装置１０１に一旦記録したダビング１０方式対応のＡＶデータを、書き換え不可能な追記型蓄積メディア３０１にＭＯＶＥした場合の動作の概要について説明する。なお、図４は、データ記録装置に記録したダビング１０方式対応のＡＶデータを、追記型蓄積メディアにＭＯＶＥした場合の動作の概要を説明する図である。
【００５２】
図４において、図３に示した例と同様に、データ記録装置１０１に記録されたダビング１０方式対応のＡＶデータを、追記型蓄積メディア３０１にＭＯＶＥした場合、ダビング１０方式におけるダビング可能回数は引き継がれる。そのため、データ記録装置１０１から追記型蓄積メディア３０１に引き継がれるダビング可能回数は１０回である。
【００５３】
したがって、ＭＯＶＥ後の追記型蓄積メディア３０１は、別の蓄積メディアへ９回のコピー（蓄積メディア３１１〜３１９へのコピーの作成）が可能である。しかしながら、データ記録装置１０１からのＭＯＶＥ先である蓄積メディアは、図４に示す例のように、追記型蓄積メディア３０１であり、追記型蓄積メディア３０１からのＡＶデータの削除が不可能であるので、追記型蓄積メディア３０１から蓄積メディア３２０へのＭＯＶＥ（１０回目のコピー）は不可能である。
【００５４】
以上のように、データ記録装置１０１は、書き換え型蓄積メディア２０１または追記型蓄積メディア３０１にＭＯＶＥした場合、蓄積メディアの種別によって、１０回目のダビングに相当するＭＯＶＥが可能であったり不可能であったりする。
【００５５】
次に、データ記録装置１０１におけるＡＶデータのダビング可能回数に関する情報の管理方法に関して説明する。すなわち、図５を参照しながら、データ記録装置１０１においてダビング１０方式対応のＡＶデータをダビングする際の、追記型蓄積メディアと書き換え型蓄積メディアにおけるダビング回数のカウント方法に関して説明する。なお、図５は、データ記録装置のＨＤＤ内に蓄積されているダビング１０方式対応のＡＶデータを、蓄積メディアにダビングまたはＭＯＶＥする際の操作イメージの一例を示す図である。
【００５６】
図５において、ユーザは、データ記録装置１０１が具備する表示手段１５（図示せず）の画面４０１に表示されているコンテンツ一覧を示すＡＶデータ一覧４０２から、ダビング（コピー）またはＭＯＶＥしたいＡＶデータを選択する。図５に示す例では、データ記録装置１０１のＨＤＤには、「映画」、「サッカー」、「ドラマ」、「ノンフィクション」および「ニュース」の５つのＡＶデータが記録されている。ＡＶデータ一覧４０２に表示されている残回数は、それぞれのＡＶデータのダビング可能回数であるダビングの残回数を表しており、この残回数の値は、当該ＡＶデータを蓄積メディアや別のデータ記録装置にダビングする毎に減少する。
【００５７】
また、図５に示す例では、「映画」および「サッカー」はダビングの実施が０回で残回数、すなわち、ダビングの残回数の値が１０、「ドラマ」、「ノンフィクション」および「ニュース」は各々ダビングを２回実施し、ダビングの残回数の値が８であることを示している。
【００５８】
なお、画面４０１の左上に表示されている「ＨＤＤ」は、ＡＶデータ一覧４０２に表示されているＡＶデータが記録されている蓄積メディアを示している。
【００５９】
また、操作指示表示領域４０３には、ユーザへのメッセージが表示されている。図５に示す例では、ＡＶデータ一覧４０２において網点で示されている選択中のＡＶデータ名「映画」をＭＯＶＥするか否かを確認するメッセージが表示されている。ユーザは、選択中のＡＶデータ名「映画」をＭＯＶＥする場合はＯＫボタン４０４を、ＭＯＶＥしない場合はＣＡＮＣＥＬボタン４０５を選択する。
【００６０】
次に、図５のＡＶデータ一覧４０２に示されるＡＶデータを、データ記録装置１０１のＨＤＤから他の蓄積メディアにコピーまたはＭＯＶＥした後の各蓄積メディアにおけるＡＶデータのダビング可能回数のカウント方法を図６〜図９を用いて説明する。
【００６１】
まず、図６は、ＡＶデータ名「映画」のＡＶデータを、データ記録装置１０１内のＨＤＤから書き換え型蓄積メディアであるＤＶＤ−ＲＡＭにＭＯＶＥした後の、データ記録装置１０１内のＨＤＤに蓄積されているＡＶデータの内容（ＡＶデータ一覧５０２）を画面４０１に表示した図である。図６において、ＡＶデータ名「映画」のＡＶデータは、ＤＶＤ−ＲＡＭにＭＯＶＥされた後、データ記録装置１０１内のＨＤＤから削除されるため、ＡＶデータ一覧５０２には表示されていない。
【００６２】
図７は、ＡＶデータ名「映画」のＡＶデータを、データ記録装置１０１内のＨＤＤからＤＶＤ−ＲＡＭにＭＯＶＥした後の、ＤＶＤ−ＲＡＭのＡＶデータ一覧の内容を表示した図である。画面６０１上のＡＶデータ一覧６０２には、ＨＤＤからＭＯＶＥした「映画」のＡＶデータが表示されている。「映画」のＡＶデータは、データ記録装置１０１内のＨＤＤのＡＶデータ一覧４０２（図５参照）に残回数（ダビングの残回数）の値が１０と表示されていたため、ＭＯＶＥした先のＤＶＤ−ＲＡＭのＡＶデータ一覧６０２においても、同様に残回数の値は１０と表示される。なお、画面６０１の左上に表示されている「ＤＶＤ−ＲＡＭ」は、ＡＶデータ一覧６０２に表示されているＡＶデータが記録されている蓄積メディアを示している。
【００６３】
図８は、ＡＶデータ名「サッカー」のＡＶデータを、追記型蓄積メディアであるＤＶＤ−ＲにＭＯＶＥした後の、データ記録装置１０１内のＨＤＤのＡＶデータ一覧の内容を表示した図である。「サッカー」のＡＶデータは、ＤＶＤ−ＲにＭＯＶＥ後、データ記録装置１０１内のＨＤＤから削除されるため、画面４０１に表示されるＡＶデータ一覧７０２には表示されない。
【００６４】
図９は、ＡＶデータ名「サッカー」のＡＶデータを、データ記録装置１０１内のＨＤＤからＤＶＤ−ＲにＭＯＶＥした後の、ＤＶＤ−ＲのＡＶデータ一覧の内容を表示した図である。画面８０１上のＡＶデータ一覧８０２には、ＨＤＤからＭＯＶＥした「サッカー」のＡＶデータが表示されている。なお、画面８０１の左上に表示されている「ＤＶＤ−Ｒ」は、ＡＶデータ一覧８０２に表示されているＡＶデータが記録されている蓄積メディアを示している。
【００６５】
ここで、データ記録装置１０１内のＨＤＤのＡＶデータ一覧４０２（図５参照）においては、「サッカー」のＡＶデータ名を有するＡＶデータのダビングの残回数の値は１０と表示されていたにも関わらず、ＭＯＶＥした先のＤＶＤ−ＲのＡＶデータ一覧８０２では、「サッカー」のＡＶデータ名を有するＡＶデータの残回数の値は９と表示されている。これは、ＤＶＤ−Ｒは書き換え不可型の蓄積メディアであり、ＡＶデータの削除が必要となるＭＯＶＥが実行できないため、１０回目のダビングに相当するＭＯＶＥ分を１回減算した値を表示しているからである。
【００６６】
なお、従来のデータ記録装置では、蓄積メディアがＤＶＤ−Ｒであっても書き換え不可型の蓄積メディアであることを判別しないので、ＡＶデータの削除が必要となるＭＯＶＥが実行できない。すなわち、従来のデータ記録装置では、９回コピーしかできないのにかかわらずＡＶデータの残回数の値は１０と不正確に表示されることもあった。それに対して本実施の形態に係るデータ記録装置１０１では、メディア判定手段１８により蓄積メディアが書き換え不可型なのか書き換え可能型なのかを判別し、それに応じてダビング管理情報管理手段１４が残りのダビング可能回数を管理する。そして、表示手段１５により蓄積メディアの違いに対応した残りのダビング可能回数を表示する。それにより、ユーザは、蓄積メディアの違いを意識することなく、残りのダビング可能回数、すなわち、コピー残回数を正確に把握することが可能となる。
【００６７】
次に、データ記録装置１０１が保持するダビング可能回数に関する管理情報であるダビング管理情報、すなわち、ダビング管理情報管理手段１４が管理する残回数（ダビングの残回数）の管理情報に関して説明する。本実施の形態においては、蓄積メディアにコピーまたはＭＯＶＥした後の残回数の管理情報もデータ記録装置１０１で管理するようにしている。これにより、追記型蓄積メディアや、残回数の管理情報を書き込むことのできない書き換え可能型蓄積メディアにダビング管理情報を記録する必要がなくなり、コピー先およびＭＯＶＥ先の蓄積メディアを含めたダビング可能回数の管理が可能となる。
【００６８】
図１０Ａおよび図１０Ｂは、本実施の形態に係るデータ記録装置が管理するダビング管理情報を概念的に示す図である。
【００６９】
図１０Ａは、図４の画面４０１と同様に、データ記録装置１０１内のＨＤＤに「映画」、「サッカー」、「ドラマ」、「ノンフィクション」および「ニュース」ののＡＶデータ名を有する５つのＡＶデータが記録されている状態において、データ記録装置１０１が管理するダビング管理情報を示す図である。
【００７０】
図１０Ａにおいては、全てのＡＶデータはＨＤＤに記録されているため、ＨＤＤを判別することが可能なメディア識別子（ＨＤＤ−０００１）がこのＨＤＤに付与されている。
【００７１】
ここで、図１０Ａおよび図１０Ｂに示すメディア識別子は、個々の蓄積メディアに付与されており、個々の蓄積メディアを一意に識別することが可能な識別子である。なお、メディア識別子に関しては、ＡＶデータを記録している蓄積メディアを一意に判別することが可能な識別子であれば、特に形態を限定するものではない。
【００７２】
また、図１０Ａおよび図１０Ｂに示すメディア種別は、ＡＶデータ（コンテンツ）を蓄積する蓄積メディアの物理的な種別を表すものであり、例えば、ＨＤＤ、ＤＶＤ−Ｒ、ＤＶＤ−ＲＡＭ、ＢＤ−ＲおよびＢＤ−ＲＥ等がこれに該当する。このメディア種別により、メディア判定手段１８は、蓄積メディアが書き換え型蓄積メディアか、追記型蓄積メディアかを判別することができる。
【００７３】
また、ＡＶデータ名は、個々のＡＶデータに付与されている識別子であり、例えば、「映画」、「サッカー」、「ドラマ」、「ノンフィクション」または「ニュース」などの地上デジタル放送の番組名等がこれに該当する。また、残回数は、各々のＡＶデータのダビング可能な残回数（ダビングの残回数）を示すものであり、この残回数の値は、ＡＶデータをダビングする毎に１ずつ減算される。
【００７４】
図１０Ｂは、図１０Ａにおけるダビング管理の状態から、ＤＶＤ−ＲＡＭに「映画」のＡＶデータ名を有するＡＶデータを、ＤＶＤ−Ｒに「サッカー」のＡＶデータ名を有するＡＶデータをそれぞれＭＯＶＥした後の上述した図７〜図９に示すような状態において、データ記録装置１０１が管理するダビング管理情報を示す図である。
【００７５】
図１０Ｂにおいては、ＤＶＤ−ＲＡＭにＭＯＶＥされた「映画」のＡＶデータのメディア識別子が、ＤＶＤ−ＲＡＭに付与されていたメディア識別子である「ＤＶＤ−ＲＡＭ−０００１」に、メディア種別が「ＤＶＤ−ＲＡＭ」にそれぞれ更新されている。また、ＤＶＤ−ＲにＭＯＶＥされた「サッカー」のＡＶデータのメディア識別子が、ＤＶＤ−Ｒに付与されていたメディア識別子である「ＤＶＤ−Ｒ−０００１」に、メディア種別が「ＤＶＤ−Ｒ」にそれぞれ更新されている。ここで、ＤＶＤ−Ｒは、書き換えが不可型の蓄積メディアであるため、データ名「サッカー」の残回数は図１０Ａと比較して１減算されている。
【００７６】
このように、本実施の形態に係るデータ記録装置１０１では、メディア判定手段１８は、メディア種別を判定し、判定したメディア種別に基づいて蓄積メディアが書き換え不可型なのか書き換え可能型なのかを判別する。ダビング管理情報管理手段１４は、その判定結果に応じてＭＯＶＥ後またはダビング後における残りのダビング可能回数をダビング管理情報として管理する。そして、表示手段１５は、図６〜図８に示すように、ダビング管理情報に基づいて蓄積メディアの違いに対応した残りのダビング可能回数を表示する。それにより、ユーザは、蓄積メディアの違いを意識することなく、残りのダビング可能回数、すなわち、ダビングの残回数を正確に把握することが可能となる。
【００７７】
なお、従来のデータ記録装置では、蓄積メディアが書き換え不可型なのか書き換え可能型を考慮して、ＭＯＶＥ後またはダビング後における残りのダビング可能回数を管理することができなかった。そのため、従来のデータ記録装置では、例えば、ＡＶデータの削除が必要となるＭＯＶＥが実行できる蓄積メディアに対して、ダビング９回分に相当する９回のコピーに加えてダビング１０回目となるＭＯＶＥが可能であったのにかかわらずＡＶデータの残回数の値は９と表示されてしまい、ユーザがダビングの残回数を正確に把握することが難しかった。
【００７８】
次に、図１１〜図１８を用いて、データ記録装置１０１の動作について説明する。
【００７９】
まず、図１１は、本実施の形態におけるデータ記録装置のデジタル放送の記録動作を示すフローチャートである。
【００８０】
図１１において、まず、ユーザによりデジタル放送の録画が指示されると、データ記録装置１０１は記録動作を開始（Ｓ１１０１）する。受信手段１２は、ユーザが録画を選択したデジタル放送のチャンネルを選局し、選局したチャンネルのＡＶデータを受信するとともに、選局したチャンネルにおけるＡＶデータのＳＩ／ＰＳＩ情報に含まれるダビング１０方式に対応したＡＶデータであるか否かを示す情報を抽出する（Ｓ１１０２）。
【００８１】
次に、データ記録手段１３は、受信手段１２が選局したチャンネルのＡＶデータを記録する（Ｓ１１０３）。なお、データ記録手段１３に記録される映像／音声データ（ＡＶデータ）の圧縮フォーマットに関しては、本発明の主旨ではないので、ここでは言及しない。
【００８２】
次に、ダビング管理情報管理手段１４は、受信手段１２により抽出されたＡＶデータがダビング１０方式に対応したＡＶデータであるか否かを示す情報を基に、例えば図９に示すようなダビング可能回数を含むダビング管理情報を生成する（Ｓ１１０４）。具体的には、ダビング管理情報管理手段１４は、受信手段１２により抽出された情報がダビング１０方式に対応したＡＶデータであることを示している場合は、ダビング可能回数を意味する残回数の値を１０と設定してデジタル放送の記録動作を終了する（Ｓ１１０５）。また、ダビング管理情報管理手段１４は、受信手段１２により抽出された情報がダビング１０方式に対応したＡＶデータでないことを示している場合は、該残回数の値を０に設定して、デジタル放送の記録動作を終了する（Ｓ１１０５）。
【００８３】
以上のようにして、データ記録装置１０１は、デジタル放送の記録動作を行う。
【００８４】
なお、上記では、複数回ダビング対応のＡＶデータとしてダビング１０方式に対応したＡＶデータを例に挙げている。そのため、ダビング管理情報管理手段１４は、ダビングの残回数の値を固定的に１０と設定したが、これに限定されるものではない。例えば、受信手段１２が選局したチャンネルから受信したＡＶデータに付与されている情報として、ダビング可能回数、すなわち、残回数（ダビングの残回数）が設定されている場合には、ダビング管理情報管理手段１４は、該ダビング可能回数をダビング管理情報として設定としても良い。
【００８５】
次に、図１２を用いて、データ記録装置１０１のデータ記録手段１３に記録したデジタル放送のＡＶデータ（コンテンツ）を、蓄積メディアとの間で相互にダビングする場合の動作について説明する。なお、図１２は、本実施の形態におけるデータ記録装置がデータ記録手段に記録したデジタル放送のＡＶデータを、蓄積メディアとの間で相互にダビングする場合の動作を示すフローチャートである。
【００８６】
図１２において、まず、ユーザにより記録されたデジタル放送のＡＶデータをダビングするように指示されると、データ記録装置１０１は、ダビング動作を開始する（Ｓ１２０１）。メディア記録手段１７は、蓄積メディアに記録されているＡＶデータ名およびメディア識別子を読み込み、読み込んだＡＶデータ名およびメディア識別子をダビング管理情報管理手段１４に通知する（Ｓ１２０２）。
【００８７】
次に、入力手段１６は、ユーザからの操作入力情報を受け取ると（Ｓ１２０３）、受け取ったユーザからの操作入力情報を基に、ダビング処理の内容が「蓄積メディアへのダビング処理」および「蓄積メディアからのダビング処理」のいずれであるかを判断する（Ｓ１２０４）。
【００８８】
Ｓ１２０４において、入力手段１６によりダビング処理の内容が「蓄積メディアへのダビング処理」であると判断された場合には、メディア記録手段１７は、「蓄積メディアへのダビング処理」を実行し（Ｓ１２０８）、処理を終了する（Ｓ１２０９）。
【００８９】
反対に、Ｓ１２０４において、入力手段１６によりダビング処理の内容が「蓄積メディアからのダビング処理」であると判断された場合には、ダビング管理情報管理手段１４は、メディア記録手段１７から通知されたＡＶデータ名およびメディア識別子を、保持しているダビング管理情報のＡＶデータ名およびメディア識別子と照合する。そしてダビング管理情報管理手段１４は、ダビング処理対象の蓄積メディアが過去に読み込み済みのメディアであるか否かを判別する（Ｓ１２０５）。
【００９０】
Ｓ１２０５において、ダビング管理情報管理手段１４により、ダビング処理対象の蓄積メディアが過去に読み込み済みの蓄積メディアであると判断した場合（Ｓ１２０５のＹＥＳの場合）には、「蓄積メディアからのダビング処理」を実行し（Ｓ１２０６）、処理を終了する（Ｓ１２０９）。
【００９１】
反対に、Ｓ１２０５において、ダビング管理情報管理手段１４により、ダビング処理対象の蓄積メディアが過去に読み込み済みの蓄積メディアでないと判断した場合（Ｓ１２０５のＮＯの場合）には、表示手段１５は、ユーザに対して「当該蓄積メディアからのダビング処理は不可である」旨の表示を行い（Ｓ１２０７）、処理を終了する（Ｓ１２０９）。これは、過去に読み込み済みの蓄積メディアでない場合、ダビング管理情報管理手段１４が、読み込み済みでない蓄積メディアに蓄積されているＡＶデータに関して過去に一度もダビング管理情報を生成していないことから、ダビング可能回数を管理できないためである。
【００９２】
以上のようにして、データ記録装置１０１はメディア記録手段１７に記録されているＡＶデータを、蓄積メディアとの間で相互にダビング処理を行う。
【００９３】
次に、図１３を用いて、データ記録装置１０１のデータ記録手段１３に記録したデジタル放送コンテンツのＡＶデータを蓄積メディアにダビングまたはＭＯＶＥする場合の、ダビングまたはＭＯＶＥ処理について説明する。なお、図１３は、本実施の形態における蓄積メディアへのダビング処理またはＭＯＶＥ処理の流れを示すフローチャートである。
【００９４】
図１３において、まず、ユーザはデータ記録装置１０１に対してデータ記録手段１３に記録されたデジタル放送コンテンツのＡＶデータを蓄積メディアにダビングまたはＭＯＶＥする指示をする。そうすると、データ記録装置１０１は、ダビング処理またはＭＯＶＥ処理を開始し（Ｓ１３０１）、メディア記録手段１７は、当該蓄積メディアからメディア識別子などのメディアに関する情報を読み込み、読み込んだ情報をメディア判定手段１８に通知する（Ｓ１３０２）。
【００９５】
次に、メディア判定手段１８は、メディア記録手段１７から通知された情報を基に蓄積メディアのメディア種別を判定し、判定したメディア種別をダビング管理情報管理手段１４に通知する（Ｓ１３０３）。
【００９６】
次に、表示手段１５は、ユーザに対して、「蓄積メディアへのダビング処理か、または蓄積メディアへのＭＯＶＥ処理か」の決定を促す画面（ダビング画面）を表示する（Ｓ１３０４）。なお、ここでの蓄積メディアへのＭＯＶＥ処理とは、ダビング可能回数が残っている状態、すなわち、ダビングの残回数の値が１以上でのＭＯＶＥ処理を指す。
【００９７】
次に、入力手段１６は、Ｓ１３０４においてユーザが決定した画面の処理に対応した操作入力情報を受け取ると（Ｓ１３０５）、ユーザからの操作入力情報が、「蓄積メディアへのダビング処理」および「蓄積メディアへのＭＯＶＥ処理」のいずれであるかを判断する（Ｓ１３０６）。
【００９８】
Ｓ１３０６において、ユーザからの操作入力情報が、「蓄積メディアへのダビング処理」であると判断された場合には、「蓄積メディアへのダビング処理」を実行し（Ｓ１３０７）、ユーザからの操作入力情報が、「蓄積メディアへのＭＯＶＥ処理」であると判断された場合には、「蓄積メディアへのＭＯＶＥ処理」を実行する（Ｓ１３０８）。そして、その後、ダビング処理またはＭＯＶＥ処理を終了させる（Ｓ１３０９）。
【００９９】
次に、図１４を用いて、図１３におけるＳ１３０７の「蓄積メディアへのダビング処理」について、すなわち、データ記録装置１０１に記録したデジタル放送コンテンツのＡＶデータを蓄積メディアにダビングする場合のダビング処理について説明する。なお、図１４は、本実施の形態における蓄積メディアへのダビング処理の流れを示すフローチャートである。
【０１００】
図１４において、まず、ユーザは、データ記録装置１０１に対してデータ記録手段１３に記録したデジタル放送コンテンツのＡＶデータを蓄積メディアにダビングする指示を行う。そうすると、データ記録装置１０１はダビング処理を開始し（Ｓ１４０１）、メディア記録手段１７は、データ記録手段１３に記録されているＡＶデータを蓄積メディアに書き込む（１４０２）。
【０１０１】
次に、メディア記録手段１７が、蓄積メディアへのＡＶデータの書き込みを完了すると、ダビング管理情報管理手段１４は、当該ＡＶデータのダビング可能回数の値を１減算する（Ｓ１４０３）。
【０１０２】
そして、当該ＡＶデータのダビング可能回数の値を１減じた後、ダビング管理情報管理手段１４は、残っているダビング可能回数、すなわち、残回数（ダビングの残回数）の値が０（ゼロ）または１以上かを確認し（Ｓ１４０４）、残回数が１以上の場合は、そのままダビング処理を終了させる（Ｓ１４０６）。それに対して、ダビング管理情報管理手段１４により残回数の値が０であると確認された場合は、データ記録手段１３は、残回数が０となったＡＶデータを削除して（Ｓ１４０５）、ダビング処理を終了させる（Ｓ１４０６）。
【０１０３】
以上のようにして、データ記録装置１０１は、蓄積メディアへのダビング処理を行う。
【０１０４】
次に、図１５を用いて、図１３におけるＳ１３０８の「蓄積メディアへのＭＯＶＥ処理」について、すなわち、データ記録装置１０１に記録したデジタル放送コンテンツのＡＶデータを蓄積メディアにＭＯＶＥする場合のＭＯＶＥ処理について説明する。なお、図１５は、本実施の形態における蓄積メディアへのＭＯＶＥ処理の流れを示すフローチャートである。
【０１０５】
図１５において、まず、ユーザは、データ記録装置１０１に対してデータ記録手段１３に記録したデジタル放送コンテンツのＡＶデータを蓄積メディアにＭＯＶＥする指示を行う。そうすると、データ記録装置１０１は、ＭＯＶＥ処理を開始し（Ｓ１５０１）、メディア記録手段１７は、データ記録手段１３に記録されているＡＶデータを、蓄積メディアに書き込む（Ｓ１５０２）。
【０１０６】
次に、メディア記録手段１７が蓄積メディアへのＡＶデータの書き込みを完了すると、データ記録手段１３は、蓄積メディアに書き込んだＡＶデータを削除する（Ｓ１５０３）。次いで、ダビング管理情報管理手段１４は、蓄積メディアに書き込んだＡＶデータに相当するダビング管理情報のメディア種別を、当該ＡＶデータを書き込んだ蓄積メディアのメディア種別に更新する（Ｓ１５０４）。
【０１０７】
Ｓ１５０４において、メディア判定手段１８は、更新されたメディア種別に基づき書き換え型蓄積メディアであるか書き換え不可の追記型蓄積メディアであるかを判定する（Ｓ１５０５）。
【０１０８】
更新されたメディア種別に基づき蓄積メディアが書き換え型蓄積メディアであると判定された場合は、メディア記録手段１７は、ＭＯＶＥ処理を終了させる（Ｓ１５０７）。それに対して、更新されたメディア種別に基づき蓄積メディアが追記型蓄積メディアであると判定された場合には、ダビング管理情報管理手段１４は、該ＡＶデータに該当するダビング管理情報のダビング可能回数、すなわち、残回数（ダビングの残回数）の値を１減算し（Ｓ１５０６）、その後、メディア記録手段１７によるＭＯＶＥ処理を終了させる（Ｓ１５０７）。
【０１０９】
以上のようにして、データ記録装置１０１は、蓄積メディアへのＭＯＶＥ処理を行う。
【０１１０】
次に、図１６を用いて、蓄積メディアからデータ記録手段１３へのダビング処理またはＭＯＶＥ処理について説明する。なお、図１６は、本実施の形態における蓄積メディアからデータ記録手段へのダビング処理またはＭＯＶＥ処理の流れを示すフローチャートである。
【０１１１】
図１６において、まず、ユーザは、蓄積メディアに記録されているＡＶデータのダビング処理またはＭＯＶＥ指示を行うと、データ記録装置１０１はダビング処理またはＭＯＶＥ処理を開始する（Ｓ１６０１）。メディア記録手段１７は、蓄積メディアからメディア情報を読み込み、読み込んだメディア情報をメディア判定手段１８に通知する（Ｓ１６０２）。
【０１１２】
次に、メディア判定手段１８は、メディア記録手段１７から通知されたメディア情報を基に蓄積メディアのメディア種別を判定し、判定したメディア種別をダビング管理情報管理手段１４に通知する（Ｓ１６０３）。
【０１１３】
次に、表示手段１５は、ユーザに対して、「蓄積メディアからのダビング処理か、または蓄積メディアからのＭＯＶＥ処理か」の決定を促す画面を表示する（Ｓ１６０４）。なお、ここでいう蓄積メディアからのＭＯＶＥ処理とは、ダビング１０方式におけるダビング１０回目のＭＯＶＥ処理ではなく、ダビング可能回数が残っている状態、すなわち、ダビングの残回数の値が１以上の状態でのＭＯＶＥ処理を指す。
【０１１４】
次に、入力手段１６は、表示手段１５に表示され、ユーザにより決定された画面の処理すなわち「ダビング処理またはＭＯＶＥ処理」の決定を促す画面に対応するユーザの指示入力情報を受け取る（Ｓ１６０５）。そして、入力手段１６は、受け入れたユーザからの指示入力情報が、「蓄積メディアからのダビング処理か」または「蓄積メディアからのＭＯＶＥ処理か」を判断する（Ｓ１６０６）。
【０１１５】
Ｓ１６０６において、ユーザからの指示入力情報が「蓄積メディアからのダビング処理」であると判断された場合には、蓄積メディアからのダビング処理を実行し（Ｓ１６０７）、その後、処理を終了する（Ｓ１６１１）。それに対して、Ｓ１６０６において、ユーザからの指示入力情報が「蓄積メディアからのＭＯＶＥ処理」であると判断された場合には、メディア判定手段１８は、ＭＯＶＥ元である蓄積メディアが、書き換え不可の追記型メディアであるか、書き換え型メディアであるかを判断する（Ｓ１６０８）。
【０１１６】
Ｓ１６０８において、ＭＯＶＥ元である蓄積メディアが追記型蓄積メディアであると判断された場合は、ＭＯＶＥ元である蓄積メディアに記録されているＡＶデータの削除ができない。そのため、表示手段１５は、ユーザに対して、ＭＯＶＥができない旨を知らせる画面表示を行い（Ｓ１６０９）、処理を終了する（Ｓ１６１１）。
【０１１７】
反対に、Ｓ１６０８において、ＭＯＶＥ元である蓄積メディアが書き換え型蓄積メディアであると判断された場合は、蓄積メディアからのＭＯＶＥ処理を実行し（Ｓ１６１０）、その後、処理を終了する（Ｓ１６１１）。
【０１１８】
以上のようにして、データ記録装置１０１は、蓄積メディアからメディア記録手段１７へのダビング処理またはＭＯＶＥ処理を行う。
【０１１９】
次に、図１７を用いて、蓄積メディアから他の蓄積メディアへのダビング処理について説明する。なお、図１７は、本実施の形態における蓄積メディアから他の蓄積メディアへのダビング処理の流れを示すフローチャートである。
【０１２０】
図１７において、まず、ユーザは、蓄積メディアに記録されているＡＶデータのダビング指示を行うと、データ記録装置１０１はダビング処理を開始する（Ｓ１７０１）。
【０１２１】
次に、メディア記録手段１７は、ダビング元であるＡＶデータを保持している蓄積メディアから、新たにメディア記録手段１７に挿入されたダビング先となる他の蓄積メディアに対して、当該ＡＶデータをコピーする（Ｓ１７０２）。なお、コピーの作成方法としては、コピーの対象となっているＡＶデータを一時的にデータ記録手段１３に蓄積した後に、ダビング先の蓄積メディアにコピーするような方法がある。しかしながら、コピーの作成方法はこれに限定されるものではなく、例えば、データ記録装置１０１に２個の蓄積メディアを同時に挿入し、この２個の蓄積メディア間で直接コピーするような方法であっても良い。
【０１２２】
次に、ダビング先となる他の蓄積メディアに対して当該ＡＶデータのコピーが終了すると、ダビング管理情報管理手段１４は、当該ＡＶデータに該当するダビング管理情報における残回数（ダビングの残回数）の値を１減算し（Ｓ１７０３）、１減算した後のダビングの残回数が０（ゼロ）であるか１以上であるかを判断する（Ｓ１７０４）。
【０１２３】
Ｓ１７０４において、ダビング管理情報管理手段１４は、ダビングの回数の値が１以上の場合はダビング処理を終了させる（１７０７）。それに対して、ダビングの残回数の値が０の場合は、メディア判定手段１８は、ダビング元の蓄積メディアのメディア種別が、追記型蓄積メディアであるか書き換え型蓄積メディアであるかを判断する（Ｓ１７０５）。
【０１２４】
Ｓ１７０５において、メディア判定手段１８によりダビング元の蓄積メディアが追記型蓄積メディアであると判断された場合は、メディア記録手段１７は、ダビング処理を終了する（Ｓ１７０７）。それに対して、ダビング元となる蓄積メディアが書き換え型蓄積メディアであると判断された場合には、メディア記録手段１７は、当該ＡＶデータをダビング元の蓄積メディアから削除した後（Ｓ１７０６）、ダビング処理を終了する（Ｓ１７０７）。
【０１２５】
以上のようにして、データ記録装置１０１は、蓄積メディアから他の蓄積メディアへのダビング処理を行う。
【０１２６】
次に、図１８を用いて、蓄積メディアから他の蓄積メディアへのＭＯＶＥ処理について説明する。なお、図１８は、本実施の形態における蓄積メディアから他の蓄積メディアへのＭＯＶＥ処理の流れを示すフローチャートである。
【０１２７】
図１８において、まず、ユーザは、外部の蓄積メディアに記録されているＡＶデータのＭＯＶＥ指示を行うと、データ記録装置１０１はＭＯＶＥ処理を開始する（Ｓ１８０１）。メディア記録手段１７は、ＭＯＶＥ元であるＡＶデータを保持している蓄積メディアから、新たにメディア記録手段１７に挿入されたＭＯＶＥ先となる他の蓄積メディアに対して当該ＡＶデータをコピーする（Ｓ１８０２）。そして、コピー完了後、メディア記録手段１７は、当該ＡＶデータをＭＯＶＥ元の蓄積メディアから削除する（Ｓ１８０３）。
【０１２８】
次に、ＭＯＶＥ元の蓄積メディアから当該ＡＶデータが削除されると、ダビング管理情報管理手段１４は、当該ＡＶデータに該当するダビング管理情報のメディア種別を、ＭＯＶＥ元の蓄積メディアのメディア種別からＭＯＶＥ先の蓄積メディアのメディア種別に更新する（Ｓ１８０４）。そして、ダビング管理情報管理手段１４は、更新後のメディア種別が追記型蓄積メディアであるか、書き換え型蓄積メディアであるかを判断する（Ｓ１８０５）。
【０１２９】
Ｓ１８０５において、ダビング管理情報管理手段１４は、更新後のメディア種別が書き換え型蓄積メディアであると判断した場合は、ＭＯＶＥ処理を終了させる（Ｓ１８０７）。それに対して、更新後のメディア種別が追記型蓄積メディアであると判断した場合には、ダビング管理情報管理手段１４は、当該ＡＶデータに該当するダビング管理情報のダビングの残回数の値を１減算し（Ｓ１８０６）、その後、ＭＯＶＥ処理を終了させる（Ｓ１８０７）。
【０１３０】
以上のようにして、データ記録装置１０１は、蓄積メディアから他の蓄積メディアへのＭＯＶＥ処理を行う。
【０１３１】
以上のように、本実施の形態に係るデータ記録装置は、蓄積メディアが書き換え可能な書き換え型蓄積メディアであるか、書き換え不可の追記型蓄積メディアであるかを問わず、蓄積メディアの種別に応じて複数回ダビング対応のＡＶデータのダビング可能回数に関する情報を管理することが可能である。
【０１３２】
具体的には、本実施の形態に係るデータ記録装置１０１では、メディア判定手段１８により蓄積メディアが書き換え不可型なのか書き換え可能型なのかを判別し、それに応じてダビング管理情報管理手段１４が残りのダビング可能回数を管理する。そして、表示手段１５により蓄積メディアの違いに対応した残りのダビング可能回数を表示する。それにより、ユーザは、蓄積メディアの違いを意識することなく、残りのダビング可能回数、すなわち、コピー残回数を正確に把握することが可能となる。
【０１３３】
以上のように、本発明によれば、蓄積メディアの種別に応じたＡＶデータのダビング可能回数に関する情報の管理を可能にするデータ記録装置を実現することができる。
【０１３４】
なお、本実施の形態においては、データ記録装置１０１におけるデータ記録手段１３とメディア記録手段１７に接続または挿入される蓄積メディアとの間でＡＶデータをダビングまたはＭＯＶＥする場合を例に挙げて説明したが、それに限らない。
【０１３５】
データ記録装置１０１は、例えば、蓄積メディアではなくＤＶＤ−ＲＡＭドライブ装置、ＤＶＤ−Ｒドライブ装置およびＨＤＤドライブ装置などの他のデータ記録装置とネットワークで互いに接続されているとしてもよい。その場合、データ記録装置１０１は、データ記録手段１３に記録されているＡＶデータを、ネットワークを経由して他のデータ記録装置に送信、または、他のデータ記録装置に記録されているＡＶデータを受信可能なように構成するなどしてもよい。
【０１３６】
このように構成することにより、データ記録装置１０１に接続あるいは挿入される蓄積メディアだけではなく、ネットワークで接続される他のデータ記録装置との間でも相互にＡＶデータのダビングが可能になる。ただし、この場合、データ記録装置１０１は、ネットワークを介して他のデータ記録装置との間でＡＶデータおよび関連情報を送受信できるデータ送受信手段を備えることが必要となる。
【０１３７】
また、本実施の形態においては、データ記録装置１０１に記録するＡＶデータとしてデジタル放送コンテンツのＡＶデータを例に挙げて説明したが、これに限るものではない。例えば、インターネットを介して配信される複数回ダビング対応の著作権保護方式に対応したデジタルコンテンツのＡＶデータであってもかまわない。
【０１３８】
また、本実施の形態においては、著作権保護方式における利用制限内容としてダビング回数（コピー回数）を例に挙げて説明したが、これに限るものではない。例えば、再生可能回数や再生可能時間などの利用制限内容であったとしても、本発明は同様の効果を発揮することは明らかである。
【０１３９】
また、本発明は、上述した各手段を備えるデータ記録装置として提供することができるばかりでなく、データ記録装置が具備する各手段を備えるデータ記録集積回路や、データ記録装置が具備する各手段を各ステップとするデータ記録方法、および、そのデータ記録方法をコンピュータに実行させるデータ記録プログラムを提供することも可能である。そして、このデータ記録プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体やインターネットを介して流通させることができる。
【０１４０】
以上、本発明に係るデータ記録装置について、実施の形態に基づいて説明したが、本発明は、この実施の形態に限定されるものではない。本発明の趣旨を逸脱しない限り、当業者が思いつく各種変形を本発明の実施の形態に施したものや、異なる実施の形態における構成要素を組み合わせて構築される形態も、本発明の範囲内に含まれる。
【産業上の利用可能性】
【０１４１】
本発明は、データ記録装置、データ記録方法およびプログラムに利用でき、特に、地上デジタル放送やインターネットからＡＶデータを受信し、記録するデータ記録装置および例えばダビング１０方式など複数回のダビングが許可される著作権保護方式に対応したＡＶデータを扱うデータ記録装置、データ記録方法およびプログラムに利用することができる。
【符号の説明】
【０１４２】
１１  制御手段
１２  受信手段
１３  データ記録手段
１４  ダビング管理情報管理手段
１５  表示手段
１６  入力手段
１７  メディア記録手段
１８  メディア判定手段
１０１  データ記録装置
１１１、１１２、１１３、１１４、１１５、１１６、１１７、１１８、１１９、１２０  蓄積メディア
２０１  書き換え型蓄積メディア
２１１、２１２、２１３、２１４、２１５、２１６、２１７、２１８、２１９、２２０  蓄積メディア
３０１  追記型蓄積メディア
３１１、３１２、３１３、３１４、３１５、３１６、３１７、３１８、３１９、３２０  蓄積メディア
４０１、６０１、８０１  画面
４０２、５０２、６０２、７０２、８０２  ＡＶデータ一覧
４０３  操作指示表示領域
４０４  ＯＫボタン
４０５  ＣＡＮＣＥＬボタン
【手続補正２】
【補正対象書類名】特許請求の範囲
【補正対象項目名】全文
【補正方法】変更
【補正の内容】
【特許請求の範囲】
【請求項１】
複数回のダビングが許可される著作権保護方式に対応したＡＶ（Ａｕｄｉｏ  ａｎｄ  Ｖｉｓｕａｌ）データを記録して保持する記録保持手段と、
可搬で、かつ、ＡＶデータが蓄積可能な容量を有する少なくとも１つの蓄積メディアと前記記録保持手段との間若しくは前記蓄積メディアと、当該蓄積メディアと異なる蓄積メディアとの間でＡＶデータのダビングまたは移動を実行するメディア記録手段と、
前記ＡＶデータに対して前記著作権保護方式に準拠して付与されたダビング可能回数を含むダビング管理情報の管理を行うダビング管理手段と、
前記メディア記録手段が当該ＡＶデータのダビングまたは移動を実行する対象である蓄積メディアのメディア種別に基づいて、当該蓄積メディアが書き換え可能であるかまたは書き換え不可であるかの判定を行うメディア判定手段とを備え、
前記ダビング管理手段は、前記メディア記録手段が前記記録保持手段から当該蓄積メディアに対して前記ＡＶデータの移動を実行する際、判定結果に応じて異なる更新を前記ＡＶデータに対応する前記ダビング管理情報に行う
データ記録装置。
【請求項２】
前記ダビング管理手段は、
前記メディア記録手段により前記蓄積メディアのメディア種別に基づいて前記蓄積メディアが書き換え不可であるという判定が行われた場合、前記メディア記録手段による当該移動の実行とともに、前記ＡＶデータに対応する前記ダビング可能回数の値を減算することにより前記判定結果に応じて異なる更新を前記ダビング管理情報に行う
請求項１記載のデータ記録装置。
【請求項３】
前記ダビング管理手段は、前記判定結果に基づいて前記ダビング可能回数の値を１減算する
請求項２記載のデータ記録装置。
【請求項４】
前記ダビング管理手段は、
前記メディア記録手段により前記蓄積メディアのメディア種別に基づいて前記蓄積メディアが書き換え可能であるという判定が行われた場合、前記メディア記録手段による当該移動の実行とともに、前記ＡＶデータに対応する前記ダビング可能回数の値を維持することにより前記判定結果に応じて異なる更新を前記ダビング管理情報に行う
請求項１〜３のいずれか１項に記載のデータ記録装置。
【請求項５】
前記データ記録装置は、さらに、ネットワークにより互いに接続された他のデータ記録装置との間で、前記ネットワークを介して前記記録保持手段に記録されているＡＶデータを送受信するデータ送受信手段を備え、
前記ネットワークを介して、前記記録保持手段または前記蓄積メディアと前記他のデータ記録装置が備える記録保持手段との間で、前記ＡＶデータのダビングまたは移動を実行する
請求項１〜４のいずれか１項に記載のデータ記録装置。
【請求項６】
前記データ記録装置において、前記メディア記録手段により当該移動の実行が実行されて前記ＡＶデータが蓄積された前記蓄積メディアから当該蓄積メディアと異なる第１の蓄積メディアへの移動を実行する場合、
前記メディア判定手段は、当該第１の蓄積メディアのメディア種別に基づいて、当該第１の蓄積メディアが書き換え可能であるかまたは書き換え不可であるかを判定し、
前記メディア記録手段は、前記蓄積メディアから前記記録保持手段に当該ＡＶデータの移動を実行して当該ＡＶデータを前記記録保持手段に保持させ、当該第１の蓄積メディアに対して前記ＡＶデータの移動を前記記録保持手段から実行するとともに、
前記ダビング管理手段は、前記メディア記録手段により前記蓄積メディアのメディア種別に基づいて前記蓄積メディアが書き換え不可であるという判定が行われた場合、前記ＡＶデータに対応する前記ダビング可能回数の値を減算することにより前記判定結果に応じて異なる更新を前記ダビング管理情報に行う
請求項４記載のデータ記録装置。
【請求項７】
データ記録装置のデータ記録方法であって、
複数回のダビングが許可される著作権保護方式に対応したＡＶデータを前記データ記録装置が備える記録媒体に記録して保持する記録保持ステップと、
可搬で、かつ、ＡＶデータが蓄積可能な容量を有する少なくとも１つの蓄積メディアと前記記録媒体との間若しくは前記蓄積メディアと、当該蓄積メディアと異なる蓄積メディアとの間でＡＶデータのダビングまたは移動を実行するメディア記録ステップと、
前記ＡＶデータに対して前記著作権保護方式に準拠して付与されたダビング可能回数を含むダビング管理情報の管理を行うダビング管理ステップと、
前記メディア記録ステップにおいて当該ＡＶデータのダビングまたは移動を実行する対象である蓄積メディアのメディア種別に基づいて、当該蓄積メディアが書き換え可能であるかまたは書き換え不可であるかの判定を行うメディア判定ステップとを含み、
前記ダビング管理ステップにおいて、前記メディア記録ステップで前記記録保持手段から当該蓄積メディアに対して前記ＡＶデータの移動が実行される際、前記判定結果に応じて異なる更新を前記ＡＶデータに対応する前記ダビング管理情報に行う
データ記録方法。
【請求項８】
データ記録装置のデータ記録を行うためのプログラムであって、
複数回のダビングが許可される著作権保護方式に対応したＡＶデータを前記データ記録装置が備える記録媒体に記録して保持する記録保持ステップと、
可搬で、かつ、ＡＶデータが蓄積可能な容量を有する少なくとも１つの蓄積メディアと前記記録媒体との間若しくは前記蓄積メディアと、当該蓄積メディアと異なる蓄積メディアとの間でＡＶデータのダビングまたは移動を実行するメディア記録ステップと、
前記ＡＶデータに対して前記著作権保護方式に準拠して付与されたダビング可能回数を含むダビング管理情報の管理を行うダビング管理ステップと、
前記メディア記録ステップにおいて当該ＡＶデータのダビングまたは移動を実行する対象である蓄積メディアのメディア種別に基づいて、当該蓄積メディアが書き換え可能であるかまたは書き換え不可であるかの判定を行うメディア判定ステップとを含み、
前記ダビング管理ステップにおいて、前記メディア記録ステップで前記記録保持手段から当該蓄積メディアに対して前記ＡＶデータの移動が実行される際、前記判定結果に応じて異なる更新を前記ＡＶデータに対応する前記ダビング管理情報に行う
コンピュータに実行させるためのプログラム。
【手続補正３】
【補正対象書類名】図面
【補正対象項目名】全図
【補正方法】変更
【補正の内容】
【図１】
2010001566.tif 000022
【図２】
2010001566.tif 000023
【図３】
2010001566.tif 000024
【図４】
2010001566.tif 000025
【図５】
2010001566.tif 000026
【図６】
2010001566.tif 000027
【図７】
2010001566.tif 000028
【図８】
2010001566.tif 000029
【図９】
2010001566.tif 000030
【図１０Ａ】
2010001566.tif 000031
【図１０Ｂ】
2010001566.tif 000032
【図１１】
2010001566.tif 000033
【図１２】
2010001566.tif 000034
【図１３】
2010001566.tif 000035
【図１４】
2010001566.tif 000036
【図１５】
2010001566.tif 000037
【図１６】
2010001566.tif 000038
【図１７】
2010001566.tif 000039
【図１８】
2010001566.tif 000040
【国際調査報告】
2010001566.tif 000041
2010001566.tif 000042